(57)【要約】【課題】左右の両眼でバランスよく視ることによって、左脳と右脳をバランスよく刺激して活性化させ、容易に認知機能低下の進行を和らげるとともに、脳内視力の回復も促すことによって、軽度認知症の早期発見・予防を実現する。【解決手段】立体映像を表示させる立体映像エリアＡ２を生成し、立体映像エリアＡ２中に構築された仮想空間内における位置、又は向きが変化する複数のオブジェクトＯｂ２１，Ｏｂ２２を表示し、複数のオブジェクトＯｂ２１，Ｏｂ２２を、仮想空間内に設置された任意の重心位置Ｐ２を中心として任意の速度で回転させるとともに、任意のタイミング及び時間長でオブジェクトの色を変化させ、オブジェクトＯｂ２１，Ｏｂ２２の色が変化したタイミング及び時間長と、ユーザーインターフェイスＧ２２，Ｇ２３に対するユーザー操作との時間差、及びユーザー操作の正確性を、空間認識能力及び状況判断力のテスト結果として記録する。【選択図】図５
2016195082.tif 000002
【特許請求の範囲】
【請求項１】
観察者の左右の眼にそれぞれ対応させた左眼用映像と右眼用映像を生成させるための立体視プログラムが実行されるアプリケーション実行部と、
前記アプリケーション実行部により実行された立体視プログラムによって生成された前記左眼用映像及び前記右眼用映像を、左右の眼にそれぞれ対応した箇所に表示させる表示部と、
ユーザー操作を受け付けるユーザーインターフェイスと
を備えた情報処理端末を用いて、軽度認知症の早期発見又は予防するための早期発見・予防プログラムであって、前記早期発見・予防プログラムは、前記情報処理端末に、
前記左眼用映像及び前記右眼用映像との間に輻輳角及び視差を発生させて構成された立体映像を表示させる立体映像エリアを生成する立体映像生成ステップと、
前記立体映像エリア中に構築された仮想空間内における位置、又は向きが変化する複数のオブジェクトを表示し、前記複数のオブジェクトを、前記仮想空間内に設置された任意の重心位置を中心として任意の速度で回転させるとともに、任意のタイミング及び時間長で前記オブジェクトの色を変化させるオブジェクト動作ステップと、
前記オブジェクトの色が変化したタイミング及び時間長と、前記ユーザーインターフェイスに対するユーザー操作との時間差、及びユーザー操作の正確性を、空間認識能力及び状況判断力のテスト結果として記録する認識力測定ステップと、
を含む処理を実行させることを特徴とする軽度認知症の早期発見・予防プログラム。
【請求項２】
前記オブジェクト動作ステップでは、前記オブジェクトの回転半径又は回転中心である前記重心位置を変化させ、前記オブジェクトが前記立体映像エリアの全領域に表示させるようにし、
前記認識力測定ステップでは、前記ユーザー操作と前記オブジェクトの表示位置との関係に基づいて、観察者の視野範囲も測定する
ことを特徴とする請求項１に記載の軽度認知症の早期発見・予防プログラム。
【請求項３】
前記オブジェクトの色の彩度を変化させ、前記オブジェクトの彩度と前記ユーザーインターフェイスに対するユーザー操作との関係に基づいて観察者の色別と白濁を測定する白濁測定ステップをさらに含むことを特徴とする請求項１又は２に記載の軽度認知症の早期発見・予防プログラム。
【請求項４】
観察者の左右の眼にそれぞれ対応させた左眼用映像と右眼用映像を生成させるための立体視プログラムが実行されるアプリケーション実行部と、
前記アプリケーション実行部により実行された立体視プログラムによって生成された前記左眼用映像及び前記右眼用映像を、左右の眼にそれぞれ対応した箇所に表示させる表示部と、
ユーザー操作を受け付けるユーザーインターフェイスと
を備えた情報処理端末を用いて、軽度認知症の早期発見又は予防するための早期発見・予防プログラムであって、前記早期発見・予防プログラムは、前記情報処理端末に、
前記左眼用映像及び前記右眼用映像との間に輻輳角及び視差を発生させて構成された立体映像を表示させる立体映像エリアを生成する立体映像生成ステップと、
前記立体映像エリア中に構築された仮想空間内における位置、又は向きが変化する複数種のオブジェクトを表示し、前記複数種のオブジェクトのうち同一物に関するオブジェクトを、前記仮想空間内における深度を変化させつつ複数同時に表示させるオブジェクト深度変動ステップと、
前記同一物に関するオブジェクトの表示数と、前記ユーザーインターフェイスに対するユーザー操作の正確性とを、瞬間視、大小の恒常性のテスト結果として記録する恒常性測定ステップと、
を含む処理を実行させることを特徴とする軽度認知症の早期発見・予防プログラム。
【請求項５】
前記恒常性測定ステップの後に時間差をおいて、前記同一物に関するオブジェクトの表示数を質問して、観察者からの回答を受け付ける質問ステップと、
前記同一物に関するオブジェクトの表示数と、前記ユーザーインターフェイスに対するユーザー操作の正確性とを、記憶力のテスト結果として記録する記憶力測定ステップと、
をさらに含むことを特徴とする請求項４に記載の軽度認知症の早期発見・予防プログラム。
【請求項６】
観察者の左右の眼にそれぞれ対応させた左眼用映像と右眼用映像を生成させるための立体視プログラムが実行されるアプリケーション実行部と、
前記アプリケーション実行部により実行された立体視プログラムによって生成された前記左眼用映像及び前記右眼用映像を、左右の眼にそれぞれ対応した箇所に表示させる表示部と、
ユーザー操作を受け付けるユーザーインターフェイスと
を備えた情報処理端末を用いて、軽度認知症の早期発見又は予防するための早期発見・予防プログラムであって、前記早期発見・予防は、前記情報処理端末に、
前記左眼用映像及び前記右眼用映像との間に輻輳角及び視差を発生させて構成された立体映像を表示させる立体映像エリアを生成する立体映像生成ステップと、
前記立体映像エリア中に構築された仮想空間内における位置、又は向きが変化する複数種のオブジェクトを表示し、前記複数種のオブジェクトのうち同一物に関するオブジェクトを、明度、彩度、色彩又は光源位置を変化させて表示させるオブジェクト色変動ステップと、
前記同一物に関するオブジェクトの表示と、前記ユーザーインターフェイスに対するユーザー操作の正確性とを、色の恒常性のテスト結果として記録する色恒常性測定ステップと、
を含む処理を実行させることを特徴とする軽度認知症の早期発見・予防プログラム。
【請求項７】
観察者の左右の眼にそれぞれ対応させた左眼用映像と右眼用映像を生成させるための立体視プログラムが実行されるアプリケーション実行部と、
前記アプリケーション実行部により実行された立体視プログラムによって生成された前記左眼用映像及び前記右眼用映像を、左右の眼にそれぞれ対応した箇所に表示させる表示部と、
ユーザー操作を受け付けるユーザーインターフェイスと
を備えた情報処理端末を用いて、軽度認知症の早期発見又は予防するための早期発見・予防プログラムであって、前記早期発見・予防プログラムは、前記情報処理端末に、
前記左眼用映像及び前記右眼用映像とで異なる個数のオブジェクトを表示させる左右映像エリアを生成する左右映像生成ステップと、
前記オブジェクトの表示と、前記ユーザーインターフェイスに対するユーザー操作の正確性とを、視野闘争による視覚野の脳の活動状況のテスト結果として記録する視野闘争測定ステップと、
を含む処理を実行させることを特徴とする軽度認知症の早期発見・予防プログラム。
【請求項８】
前記情報処理端末には、
前記観察者の脳波を検出し、前記脳波に応じた脳波信号を出力する脳波検出デバイスと、
前記脳波検出デバイスから取得した前記脳波信号を記録する脳波信号記録部と
がさらに設けられ、
前記早期発見・予防プログラムは、前記アプリケーション実行部で実行される前記立体視プログラムにより記録されたテスト結果と、前記脳波信号記録部によって記録された脳波信号とを連携させて解析する脳波相関解析ステップをさらに含む処理を実行させる
ことを特徴とする請求項１乃至７のいずれかに記載の早期発見・予防プログラム。
【請求項９】
請求項１乃至８のいずれかに記載の情報処理端末に通信ネットワークを通じて接続可能なコンテンツ管理サーバーを制御するためのサーバー制御プログラムであって、
前記サーバー制御プログラムは、前記コンテンツ管理サーバーを、
アップロードされた画像を、その画像に映っている被写体に関する年代を含む情報と関連づけて蓄積するコンテンツ蓄積部と、
前記アプリケーション実行部により実行されている立体視プログラムとの間でデータの送受信を行う通信部と、
前記テストの対象となっている観察者の年代を含む配信要求を前記情報処理端末から前記通信部を通じて取得し、前記配信要求に含まれる観察者の年代に適合した画像を前記コンテンツ蓄積部から選定するコンテンツ選定部と、
前記コンテンツ選定部が選定した画像を前記アプリケーション実行部により実行されている前記立体視プログラムに対して配信するコンテンツ配信部
として機能させることを特徴とする軽度認知症の早期発見・予防のためのサーバー制御プログラム。
【請求項１０】
軽度認知症の早期発見又は予防するためのシステムであって、
観察者の左右の眼にそれぞれ対応させた左眼用映像と右眼用映像を生成させるための立体視プログラムが実行されるアプリケーション実行部と、
前記アプリケーション実行部により実行された立体視プログラムによって生成された前記左眼用映像及び前記右眼用映像を、左右の眼にそれぞれ対応した箇所に表示させる表示部と、
ユーザー操作を受け付けるユーザーインターフェイスと
を備え、前記立体視プログラムは、
前記左眼用映像及び前記右眼用映像との間に輻輳角及び視差を発生させて構成された立体映像を表示させる立体映像エリアを生成する立体映像生成ステップと、
前記立体映像エリア中に構築された仮想空間内における位置、又は向きが変化する複数のオブジェクトを表示し、前記複数のオブジェクトを、前記仮想空間内に設置された任意の重心位置を中心として任意の速度で回転させるとともに、任意のタイミング及び時間長で前記オブジェクトの色を変化させるオブジェクト動作ステップと、
前記オブジェクトの色が変化したタイミング及び時間長と、前記ユーザーインターフェイスに対するユーザー操作との時間差、及びユーザー操作の正確性を、空間認識能力及び状況判断力のテスト結果として記録する認識力測定ステップと、
を含むことを特徴とする軽度認知症の早期発見・予防システム。
【請求項１１】
前記オブジェクト動作ステップでは、前記オブジェクトの回転半径又は回転中心である前記重心位置を変化させ、前記オブジェクトが前記立体映像エリアの全領域に表示させるようにし、
前記認識力測定ステップでは、前記ユーザー操作と前記オブジェクトの表示位置との関係に基づいて、観察者の視野範囲も測定する
ことを特徴とする請求項１０に記載の軽度認知症の早期発見・予防システム。
【請求項１２】
前記立体視プログラムは、前記オブジェクトの色の彩度を変化させ、前記オブジェクトの彩度と前記ユーザーインターフェイスに対するユーザー操作との関係に基づいて観察者の色別と白濁を測定する白濁測定ステップをさらに含むことを特徴とする請求項１０又は１１に記載の軽度認知症の早期発見・予防システム。
【請求項１３】
軽度認知症の早期発見又は予防するためのシステムであって、
観察者の左右の眼にそれぞれ対応させた左眼用映像と右眼用映像を生成させるための立体視プログラムが実行されるアプリケーション実行部と、
前記アプリケーション実行部により実行された立体視プログラムによって生成された前記左眼用映像及び前記右眼用映像を、左右の眼にそれぞれ対応した箇所に表示させる表示部と、
ユーザー操作を受け付けるユーザーインターフェイスと
を備え、前記立体視プログラムは、
前記左眼用映像及び前記右眼用映像との間に輻輳角及び視差を発生させて構成された立体映像を表示させる立体映像エリアを生成する立体映像生成ステップと、
前記立体映像エリア中に構築された仮想空間内における位置、又は向きが変化する複数種のオブジェクトを表示し、前記複数種のオブジェクトのうち同一物に関するオブジェクトを、前記仮想空間内における深度を変化させつつ複数同時に表示させるオブジェクト深度変動ステップと、
前記同一物に関するオブジェクトの表示数と、前記ユーザーインターフェイスに対するユーザー操作の正確性とを、瞬間視、大小の恒常性のテスト結果として記録する恒常性測定ステップと、
を含むことを特徴とする軽度認知症の早期発見・予防システム。
【請求項１４】
前記立体視プログラムは、
前記恒常性測定ステップの後に時間差をおいて、前記同一物に関するオブジェクトの表示数を質問して、観察者からの回答を受け付ける質問ステップと、
前記同一物に関するオブジェクトの表示数と、前記ユーザーインターフェイスに対するユーザー操作の正確性とを、記憶力のテスト結果として記録する記憶力測定ステップと、
をさらに含むことを特徴とする請求項１３に記載の軽度認知症の早期発見・予防システム。
【請求項１５】
軽度認知症の早期発見又は予防するためのシステムであって、
観察者の左右の眼にそれぞれ対応させた左眼用映像と右眼用映像を生成させるための立体視プログラムが実行されるアプリケーション実行部と、
前記アプリケーション実行部により実行された立体視プログラムによって生成された前記左眼用映像及び前記右眼用映像を、左右の眼にそれぞれ対応した箇所に表示させる表示部と、
ユーザー操作を受け付けるユーザーインターフェイスと
を備え、前記立体視プログラムは、
前記左眼用映像及び前記右眼用映像との間に輻輳角及び視差を発生させて構成された立体映像を表示させる立体映像エリアを生成する立体映像生成ステップと、
前記立体映像エリア中に構築された仮想空間内における位置、又は向きが変化する複数種のオブジェクトを表示し、前記複数種のオブジェクトのうち同一物に関するオブジェクトを、明度、彩度、色彩又は光源位置を変化させて表示させるオブジェクト色変動ステップと、
前記同一物に関するオブジェクトの表示と、前記ユーザーインターフェイスに対するユーザー操作の正確性とを、色の恒常性のテスト結果として記録する色恒常性測定ステップと、
を含むことを特徴とする軽度認知症の早期発見・予防システム。
【請求項１６】
軽度認知症の早期発見又は予防するためのシステムであって、
観察者の左右の眼にそれぞれ対応させた左眼用映像と右眼用映像を生成させるための立体視プログラムが実行されるアプリケーション実行部と、
前記アプリケーション実行部により実行された立体視プログラムによって生成された前記左眼用映像及び前記右眼用映像を、左右の眼にそれぞれ対応した箇所に表示させる表示部と、
ユーザー操作を受け付けるユーザーインターフェイスと
を備え、前記立体視プログラムは、
前記左眼用映像及び前記右眼用映像とで異なる個数のオブジェクトを表示させる左右映像エリアを生成する左右映像生成ステップと、
前記オブジェクトの表示と、前記ユーザーインターフェイスに対するユーザー操作の正確性とを、視野闘争による視覚野の脳の活動状況のテスト結果として記録する視野闘争測定ステップと、
を含むことを特徴とする軽度認知症の早期発見・予防システム。
【請求項１７】
前記情報処理端末には、
前記観察者の脳波を検出し、前記脳波に応じた脳波信号を出力する脳波検出デバイスと、
前記脳波検出デバイスから取得した前記脳波信号を記録する脳波信号記録部と
がさらに設けられ、
前記早期発見・予防プログラムは、前記アプリケーション実行部で実行される前記立体視プログラムにより記録されたテスト結果と、前記脳波信号記録部によって記録された脳波信号とを連携させて解析する脳波相関解析ステップをさらに含む処理を実行させる
ことを特徴とする請求項１０乃至１６のいずれかに記載の早期発見・予防プログラム。
【請求項１８】
通信ネットワークに接続可能なコンテンツ管理サーバーをさらに備え、
前記コンテンツ管理サーバーは、
アップロードされた画像を、その画像に映っている被写体に関する年代を含む情報と関連づけて蓄積するコンテンツ蓄積部と、
前記アプリケーション実行部により実行されている立体視プログラムとの間でデータの送受信を行う通信部と、
前記テストの対象となっている観察者の年代を含む配信要求を前記立体視プログラムから前記通信部を通じて取得し、前記配信要求に含まれる観察者の年代に適合した画像を前記コンテンツ蓄積部から選定するコンテンツ選定部と、
前記コンテンツ選定部が選定した画像を前記アプリケーション実行部により実行されている前記立体視プログラムに対して配信するコンテンツ配信部と
を備え、前記立体視プログラムは、
前記コンテンツ配信部から配信された画像から、前記オブジェクトを生成し、前記テストを実行する
ことを特徴とする請求項１０乃至１７のいずれかに記載の軽度認知症の早期発見・予防システム。
【発明の詳細な説明】
【技術分野】
【０００１】
本発明は、軽度認知症の早期発見・予防のためのプログラム及びシステムに関する。
【背景技術】
【０００２】
わずかに認知機能障害が気になるが「認知症」とは言えない健康な状態と、認知症との間のグレーゾーンの状態を「軽度認知障害（MCI：Mild CognitiveImpairment）」と言い、認知症の研究が進み、この軽度認知症の早期発見・早期治療及び予防の概念が支持されるようになってきている。【０００３】
また、レビー小体型認知症（Dementia with Lewy Bodies :DLB）は、アルツハイマー病（AD）、血管性認知症とともに３大認知症のひとつとされており、初期の段階では記憶障害は顕著ではないが、その一方で早期から視空間能力の障害（構成障害、視覚認知障害）が現れる傾向がある（非特許文献１参照）。【０００４】
一方、認知機能が正常な時点での視力低下が、将来のアルツハイマー病など認知症の発症リスクの上昇につながるという、高齢者の視力の低下と認知機能の低下との関係を調べた論文が米国疫学雑誌（非特許文献２参照）に発表されるなど、視力低下と認知機能低下との関連性が注目されている。【０００５】
この研究論文によれば、米国の高齢者６２５人について１０年程度の追跡調査をしたところ、視力が「きわめて良い」、「とても良い」と回答したグループは、他の回答をしたグループと比べて認知症を発症するリスクが６３％低いという結果となった。また、眼科医を受診した経験があるグループでは、未受診のグループよりリスクが６４％低く、眼の治療を受けたグループでは、未治療のグループよりリスクが５６％低かった。さらに、『視力が「きわめて良い」、「とても良い」に該当し、且つ眼科医を受診したグループ』と比べて、『視力がそれより悪く、しかも眼科医を受診しなかったグループ』は、アルツハイマー病の発症リスクが９．４６倍も高く、認知症に至らない認知機能低下のリスクも５．０５倍となった。【０００６】
すなわち、視力障害は、アルツハイマー病の初期症状として現れることがあることは知られていたが、上記研究では、認知機能が正常な時点での視力低下が、将来のアルツハイマー病など認知症の発症リスクの上昇につながるという結果を示しており、視力の低下によって脳への刺激、運動、社会的活動が減り、それが認知症のリスクの上昇につながる可能性があると考察している。【０００７】
これに対し、視覚を通じて脳を活性化する技術として、例えば特許文献１に開示されたゲームがある。この特許文献１に開示されたゲームでは、適正な敵オブジェクトと、誤認用オブジェクトの組み合わせによってユーザーの混乱を生じさせつつゲームが実行され、ユーザーは、敵オブジェクトの顔画像の正確な把握が求められることから、ユーザーには、敵オブジェクトを見分ける処理能力、集中力が要求され、顔画像認識に伴う脳の活性化を可能としている。
【先行技術文献】
【非特許文献】
【０００８】
【非特許文献１】小野薬品工業株式会社発行「スプリングマインド」2012年NO.11、2ページ〜3ページ
【非特許文献２】"Untreated Poor Vision: A Contributing Factor to Late-Life Dementia",Mary A. M. Rogers* and Kenneth M. Langa, American Journal of Epidemiology Advance Access published February 11, 2010
【特許文献】
【０００９】
【特許文献１】特開２０１２−０８８７７６号公報
【発明の概要】
【発明が解決しようとする課題】
【００１０】
ところで、視力には眼球視力と脳内視力の２つがあり、認知機能低下による視力障害は、「脳内視力の低下」が原因であるとともに、眼球視力が低下することによる「脳の活動の低下」も原因となっており、認知機能低下による視力障害は、眼と脳が関連しながら進行していくと考えられている。【００１１】
このため、脳を活性化させるための働きかけは、左右の両眼でバランスよく「視る」という刺激が重要である。すなわち、両眼の脳内視力を通じて左脳と右脳をバランスよく刺激して活性化させることによって、記憶力、集中力、想像力などを高め、認知機能低下の進行を和らげるとともに、脳内視力の回復も促すことができる。【００１２】
しかしながら、上記特許文献１に開示されたような、単にオブジェクトを見分けるなどの手法であり、左右の両眼でバランスよく視るという要素が含まれていないことから、ゲームに集中するあまり、むしろ「利き目」だけで見つめてしまうようになってしまい、偏った脳内視力で脳を刺激する結果となる惧れがある。【００１３】
そこで、本発明は以上の点に鑑みてなされたもので、左右の両眼でバランスよく視ることによって、左脳と右脳をバランスよく刺激して活性化させ、容易に認知機能低下の進行を和らげるとともに、脳内視力の回復も促すことのできる軽度認知症の早期発見・予防プログラム及びシステムを提供することをその課題とする。
【課題を解決するための手段】
【００１４】
（１）プログラムの発明
（１−１）空間認識能力及び状況判断力テスト
上記課題を解決するために、本発明は、
観察者の左右の眼にそれぞれ対応させた左眼用映像と右眼用映像を生成させるためのプログラムが実行されるアプリケーション実行部と、
アプリケーション実行部により実行されたプログラムによって生成された左眼用映像及び右眼用映像を、左右の眼にそれぞれ対応した箇所に表示させる表示部と、
ユーザー操作を受け付けるユーザーインターフェイスと
を備えた情報処理端末を用いて、軽度認知症の早期発見又は予防するためのプログラムであって、このプログラムは、
情報処理端末に、左眼用映像及び右眼用映像との間に輻輳角及び視差を発生させて構成された立体映像を表示させる立体映像エリアを生成する立体映像生成ステップと、
立体映像エリア中に構築された仮想空間内における位置、又は向きが変化する複数のオブジェクトを表示し、複数のオブジェクトを、仮想空間内に設置された任意の重心位置を中心として任意の速度で回転させるとともに、任意のタイミング及び時間長でオブジェクトの色を変化させるオブジェクト動作ステップと、
オブジェクトの色が変化したタイミング及び時間長と、ユーザーインターフェイスに対するユーザー操作との時間差、及びユーザー操作の正確性を、空間認識能力及び状況判断力のテスト結果として記録する認識力測定ステップと、
を含む処理を実行させることを特徴とする。【００１５】
このような本発明によれば、例えば、３Ｄ表示が可能なタブレット型ＰＣなどで、立体映像エリア中の仮想空間内で、複雑な軌道で回転する複数のオブジェクトの色を、任意のタイミング及び時間長で変化させ、その変化を認識した時点で観察者にユーザーインターフェイスを操作させる。オブジェクトの色が変わった時間から、観察者が操作するまでの時間差や正確性を測定することで、観察者の空間認識能力及び状況判断力をチェックすることができる。この時間差や正確性が所定の閾値を超える（下回る）ようであれば、認知障害の可能性があり、これにより予防対策を採ることができる。【００１６】
上記発明において、オブジェクト動作ステップでは、オブジェクトの回転半径又は回転中心である重心位置を変化させ、オブジェクトが立体映像エリアの全領域に表示させるようにし、認識力測定ステップでは、ユーザー操作とオブジェクトの表示位置との関係に基づいて、観察者の視野範囲も測定することが好ましい。【００１７】
この場合には、タブレットＰＣの画面の四隅までオブジェクトを表示させ、それに対する観察者の反応を見ることで、観察者の視野範囲を測定することができ、視野範囲の広狭から認知障害を推定することができる。【００１８】
上記発明において、オブジェクトの色の彩度を変化させ、オブジェクトの彩度とユーザーインターフェイスに対するユーザー操作との関係に基づいて観察者の色別と白濁を測定する白濁測定ステップをさらに含むことが好ましい。【００１９】
この場合には、例えばスライダーを操作させるなどしてオブジェクトの彩度を変化させ、観察者にとって見やすいように調節させることで、観察者の色別と、眼球の白濁等を発見することができる。【００２０】
（１−２）瞬間視・大小の恒常性テスト
また、他の発明は、観察者の左右の眼にそれぞれ対応させた左眼用映像と右眼用映像を生成させるためのプログラムが実行されるアプリケーション実行部と、
アプリケーション実行部により実行されたプログラムによって生成された左眼用映像及び右眼用映像を、左右の眼にそれぞれ対応した箇所に表示させる表示部と、
ユーザー操作を受け付けるユーザーインターフェイスとを備えた情報処理端末を用いて、軽度認知症の早期発見又は予防するためのプログラムであって、プログラムは、情報処理端末に、
左眼用映像及び右眼用映像との間に輻輳角及び視差を発生させて構成された立体映像を表示させる立体映像エリアを生成する立体映像生成ステップと、
立体映像エリア中に構築された仮想空間内における位置、又は向きが変化する複数種のオブジェクトを表示し、複数種のオブジェクトのうち同一物に関するオブジェクトを、仮想空間内における深度を変化させつつ複数同時に表示させるオブジェクト深度変動ステップと、
同一物に関するオブジェクトの表示数と、ユーザーインターフェイスに対するユーザー操作の正確性とを、瞬間視又は大小の恒常性のテスト結果として記録する恒常性測定ステップと、
を含む処理を実行させることを特徴とする。【００２１】
このような本発明によれば、例えば、３Ｄ表示が可能なタブレット型ＰＣなどで、立体映像エリア中の仮想空間内に、リンゴとミカンといったように複数種類の果物を、深度を変化させつつ同時に表示させ、その表示数を観察者にユーザーインターフェイスを操作させて回答させる。このとき同一物に関する仮想空間内における大きさは等しく設定して、表示する際の深度（仮想空間内における奥行き）のみを変化させる。そして、表示数と観察者によるカウント数を測定することで、観察者の瞬間視、大小の恒常性をチェックすることができる。この回答までの時間や誤答数が所定の閾値を超える（下回る）ようであれば、認知障害の可能性があり、これにより予防対策を採ることができる。【００２２】
上記発明において、恒常性測定ステップの後に時間差をおいて、同一物に関するオブジェクトの表示数を質問して、観察者からの回答を受け付ける質問ステップと、同一物に関するオブジェクトの表示数と、ユーザーインターフェイスに対するユーザー操作の正確性とを、記憶力のテスト結果として記録する記憶力測定ステップと、をさらに含むことが好ましい。【００２３】
この場合には、瞬間視、大小の恒常性と合わせて、記憶力のチェックもすることができる。誤答数が所定の閾値を超える（下回る）ようであれば、認知障害の可能性があり、これにより予防対策を採ることができる。【００２４】
（１−３）色の恒常性テスト
他の発明は、観察者の左右の眼にそれぞれ対応させた左眼用映像と右眼用映像を生成させるためのプログラムが実行されるアプリケーション実行部と、アプリケーション実行部により実行されたプログラムによって生成された左眼用映像及び右眼用映像を、左右の眼にそれぞれ対応した箇所に表示させる表示部と、ユーザー操作を受け付けるユーザーインターフェイスとを備えた情報処理端末を用いて、軽度認知症の早期発見又は予防するためのプログラムであって、プログラムは、情報処理端末に、左眼用映像及び右眼用映像との間に輻輳角及び視差を発生させて構成された立体映像を表示させる立体映像エリアを生成する立体映像生成ステップと、立体映像エリア中に構築された仮想空間内における位置、又は向きが変化する複数種のオブジェクトを表示し、複数種のオブジェクトのうち同一物に関するオブジェクトを、明度、彩度、色彩又は光源位置を変化させて表示させるオブジェクト色変動ステップと、同一物に関するオブジェクトの表示と、ユーザーインターフェイスに対するユーザー操作の正確性とを、色の恒常性のテスト結果として記録する色恒常性測定ステップと、を含む処理を実行させることを特徴とする。【００２５】
このような本発明によれば、例えば、３Ｄ表示が可能なタブレット型ＰＣなどで、立体映像エリア中の仮想空間内に、同一物に関するオブジェクトを、明度、彩度、色彩又は光源位置を変化させて表示させ、観察者にユーザーインターフェイスを操作させて同一物の色を回答させる。そして、表示されている色と観察者による回答を比較することで、観察者の色恒常性をチェックすることができる。この回答までの時間や誤答数が所定の閾値を超える（下回る）ようであれば、認知障害の可能性があり、これにより予防対策を採ることができる。【００２６】
（１−４）視覚野に関する脳の活動状況テスト
他の発明は、観察者の左右の眼にそれぞれ対応させた左眼用映像と右眼用映像を生成させるためのプログラムが実行されるアプリケーション実行部と、アプリケーション実行部により実行されたプログラムによって生成された左眼用映像及び右眼用映像を、左右の眼にそれぞれ対応した箇所に表示させる表示部と、ユーザー操作を受け付けるユーザーインターフェイスとを備えた情報処理端末を用いて、軽度認知症の早期発見又は予防するためのプログラムであって、プログラムは、情報処理端末に、左眼用映像及び右眼用映像とで異なる個数のオブジェクトを表示させる左右映像エリアを生成する左右映像生成ステップと、オブジェクトの表示と、ユーザーインターフェイスに対するユーザー操作の正確性とを、視野闘争による視覚野に関する脳の活動状況のテスト結果として記録する視野闘争測定ステップと、を含む処理を実行させることを特徴とする。【００２７】
このような本発明によれば、例えば、２Ｄや３Ｄ表示が可能なタブレット型ＰＣなどで、左右映像エリア中に、左眼用映像及び右眼用映像とで異なる個数のオブジェクトを表示させることにより、視野闘争による視覚野の脳の活動状況をテストすることができる。【００２８】
（１−５）脳波連動テスト
上記発明において前記情報処理端末には、前記観察者の脳波を検出し、前記脳波に応じた脳波信号を出力する脳波検出デバイスと、前記脳波検出デバイスから取得した前記脳波信号を記録する脳波信号記録部とがさらに設けられ、前記早期発見・予防プログラムは、前記アプリケーション実行部で実行される前記立体視プログラムにより記録されたテスト結果と、前記脳波信号記録部によって記録された脳波信号とを連携させて解析する脳波相関解析ステップをさらに含む処理を実行させることが好ましい。ここで、脳波とは、脳の神経細胞から出される弱い周期性の電流である。【００２９】
この場合には、各種脳波の強弱やバランスを解析することにより、観察者の緊張状態、リラックス状態、集中状態を測定し、ユーザー操作の正確性との相関を知ることができ、軽度認知症の早期発見・予防の精度を高めることができる。【００３０】
詳述すると、ＭＣＩ（Mild Cognitive Impairment：軽度認知障害）によって低下する認知機能は、「エピソード記憶」、「注意分割機能」、「思考力」及び「視空間認知機能」であることから、機能向上のための働きかけを行って認知機能を刺激することで、認知障害の発症を遅らせたり予防したりすることができることが知られている。解析部１１１ｆでは、立体視プログラムによる立体視によって認知機能を刺激するとともに、脳波信号を検出することにより、認知機能に対する刺激による効果を解析することができる。【００３１】
なお、「視空間認知障害」とは、視力が障害されていないにもかかわらず、顔や物品の認識や物品を見つける能力の障害、簡単な道具の操作や着衣の能力の障害があることでありこれらの障害はアルツハイマー型認知症でよく認められる症状である。また、典型的なアルツハイマー型認知症の初期には、図形を描くのが下手になり、運転で道に迷うようになる、車の車庫入れができなくなるといった症状があり、中期では物を探すのが難しくなる、後期では簡単な道具の操作と着衣ができなくなるといった症状がある。【００３２】
これらのような症状を視空間認知障害と呼び、神経基盤アルツハイマー型認知症では頭頂後頭葉の血流低下が視空間認知障害の責任病巣と考えられている。視空間認知障害はＭＭＳＥの重なった五角形の模写や立体の模写で検出されることが多い。キツネやハトの手の形の模倣が簡便なスクリーニングといわれている。これは眼前の対象の視空間的な特性をつかんだうえで、それを書き写したり動かしたりするという視空間認知機能の障害に起因し、構成障害とも呼ばれる。このように認知障害と視空間認知機能との間には密接な相関があると考えられ、立体視プログラムによる脳機能への刺激と、それによる脳波を検出することにより、より有効に認知機能に対する刺激による効果を解析することができる。【００３３】
（１−６）サーバー制御プログラム
他の発明は、上記情報処理端末に通信ネットワークを通じて接続可能なコンテンツ管理サーバーを制御するためのサーバー制御プログラムであって、
サーバー制御プログラムは、コンテンツ管理サーバーを、アップロードされた画像を、その画像に映っている被写体に関する年代を含む情報と関連づけて蓄積するコンテンツ蓄積部と、アプリケーション実行部により実行されているプログラムとの間でデータの送受信を行う通信部と、テストの対象となっている観察者の年代を含む配信要求を情報処理端末から通信部を通じて取得し、配信要求に含まれる観察者の年代に適合した画像をコンテンツ蓄積部から選定するコンテンツ選定部と、コンテンツ選定部が選定した画像をアプリケーション実行部により実行されているプログラムに対して配信するコンテンツ配信部として機能させることを特徴とする軽度認知症の早期発見・予防のためのサーバー制御プログラム。【００３４】
この場合には、多数のユーザーから懐かしい写真などを、年代を含む情報とともにアップロードしてもらい、データベース化して蓄積しておき、認知障害の被験者であるユーザーの年代に合わせた画像をオブジェクトして生成し、上述したプログラムによる各種テストで使用する。これにより、上記各種テストに際し、被験者の長期記憶を呼び起こすことができ、脳の活性化を促すことができる。【００３５】
（２）システムの発明
（２−１）空間認識能力及び状況判断力テスト
本発明は、軽度認知症の早期発見又は予防するためのシステムであって、観察者の左右の眼にそれぞれ対応させた左眼用映像と右眼用映像を生成させるためのプログラムが実行されるアプリケーション実行部と、アプリケーション実行部により実行されたプログラムによって生成された左眼用映像及び右眼用映像を、左右の眼にそれぞれ対応した箇所に表示させる表示部と、ユーザー操作を受け付けるユーザーインターフェイスとを備え、プログラムは、左眼用映像及び右眼用映像との間に輻輳角及び視差を発生させて構成された立体映像を表示させる立体映像エリアを生成する立体映像生成ステップと、立体映像エリア中に構築された仮想空間内における位置、又は向きが変化する複数のオブジェクトを表示し、複数のオブジェクトを、仮想空間内に設置された任意の重心位置を中心として任意の速度で回転させるとともに、任意のタイミング及び時間長でオブジェクトの色を変化させるオブジェクト動作ステップと、オブジェクトの色が変化したタイミング及び時間長と、ユーザーインターフェイスに対するユーザー操作との時間差、及びユーザー操作の正確性を、空間認識能力及び状況判断力のテスト結果として記録する認識力測定ステップと、を含むことを特徴とする。【００３６】
このような本発明によれば、例えば、３Ｄ表示が可能なタブレット型ＰＣなどで、立体映像エリア中の仮想空間内で、複雑な軌道で回転する複数のオブジェクトの色を、任意のタイミング及び時間長で変化させ、その変化を認識した時点で観察者にユーザーインターフェイスを操作させる。オブジェクトの色が変わった時間から、観察者が操作するまでの時間差や正確性を測定することで、観察者の空間認識能力及び状況判断力をチェックすることができる。この時間差や正確性が所定の閾値を超える（下回る）ようであれば、認知障害の可能性があり、これにより予防対策を採ることができる。【００３７】
上記発明において、オブジェクト動作ステップでは、オブジェクトの回転半径又は回転中心である重心位置を変化させ、オブジェクトが立体映像エリアの全領域に表示させるようにし、認識力測定ステップでは、ユーザー操作とオブジェクトの表示位置との関係に基づいて、観察者の視野範囲も測定することが好ましい。【００３８】
この場合には、タブレットＰＣの画面の四隅までオブジェクトを表示させ、それに対する観察者の反応を見ることで、観察者の視野範囲を測定することができ、視野範囲の広狭から認知障害を推定することができる。【００３９】
上記発明において、プログラムは、オブジェクトの色の彩度を変化させ、オブジェクトの彩度とユーザーインターフェイスに対するユーザー操作との関係に基づいて観察者の色別と白濁を測定する白濁測定ステップをさらに含むことが好ましい。【００４０】
この場合には、例えばスライダーを操作させるなどしてオブジェクトの彩度を変化させ、観察者にとって見やすいように調節させることで、観察者の色別と、眼球の白濁等を発見することができる。【００４１】
（２−２）瞬間視・大小の恒常性テスト
また、他の発明は、軽度認知症の早期発見又は予防するためのシステムであって、観察者の左右の眼にそれぞれ対応させた左眼用映像と右眼用映像を生成させるためのプログラムが実行されるアプリケーション実行部と、アプリケーション実行部により実行されたプログラムによって生成された左眼用映像及び右眼用映像を、左右の眼にそれぞれ対応した箇所に表示させる表示部と、ユーザー操作を受け付けるユーザーインターフェイスとを備え、プログラムは、左眼用映像及び右眼用映像との間に輻輳角及び視差を発生させて構成された立体映像を表示させる立体映像エリアを生成する立体映像生成ステップと、立体映像エリア中に構築された仮想空間内における位置、又は向きが変化する複数種のオブジェクトを表示し、複数種のオブジェクトのうち同一物に関するオブジェクトを、仮想空間内における深度を変化させつつ複数同時に表示させるオブジェクト深度変動ステップと、同一物に関するオブジェクトの表示数と、ユーザーインターフェイスに対するユーザー操作の正確性とを、瞬間視、大小の恒常性のテスト結果として記録する恒常性測定ステップと、を含むことを特徴とする。【００４２】
このような本発明によれば、例えば、３Ｄ表示が可能なタブレット型ＰＣなどで、立体映像エリア中の仮想空間内に、リンゴとミカンといったように複数種類の果物を、深度を変化させつつ同時に表示させ、その表示数を観察者にユーザーインターフェイスを操作させて回答させる。このとき同一物に関する仮想空間内における大きさは等しく設定して、表示する際の深度（仮想空間内における奥行き）のみを変化させる。そして、表示数と観察者によるカウント数を測定することで、観察者の瞬間視、大小の恒常性をチェックすることができる。この回答までの時間や誤答数が所定の閾値を超える（下回る）ようであれば、認知障害の可能性があり、これにより予防対策を採ることができる。【００４３】
上記発明において、プログラムは、恒常性測定ステップの後に時間差をおいて、同一物に関するオブジェクトの表示数を質問して、観察者からの回答を受け付ける質問ステップと、同一物に関するオブジェクトの表示数と、ユーザーインターフェイスに対するユーザー操作の正確性とを、記憶力のテスト結果として記録する記憶力測定ステップと、をさらに含むことが好ましい。【００４４】
この場合には、瞬間視、大小の恒常性と合わせて、記憶力のチェックもすることができる。誤答数が所定の閾値を超える（下回る）ようであれば、認知障害の可能性があり、これにより予防対策を採ることができる。【００４５】
（２−３）色の恒常性テスト
また、他の発明は、軽度認知症の早期発見又は予防するためのシステムであって、観察者の左右の眼にそれぞれ対応させた左眼用映像と右眼用映像を生成させるためのプログラムが実行されるアプリケーション実行部と、アプリケーション実行部により実行されたプログラムによって生成された左眼用映像及び右眼用映像を、左右の眼にそれぞれ対応した箇所に表示させる表示部と、ユーザー操作を受け付けるユーザーインターフェイスとを備え、プログラムは、左眼用映像及び右眼用映像との間に輻輳角及び視差を発生させて構成された立体映像を表示させる立体映像エリアを生成する立体映像生成ステップと、立体映像エリア中に構築された仮想空間内における位置、又は向きが変化する複数種のオブジェクトを表示し、複数種のオブジェクトのうち同一物に関するオブジェクトを、明度、彩度、色彩又は光源位置を変化させて表示させるオブジェクト色変動ステップと、同一物に関するオブジェクトの表示と、ユーザーインターフェイスに対するユーザー操作の正確性とを、色の恒常性のテスト結果として記録する色恒常性測定ステップと、を含むことを特徴とする。【００４６】
このような本発明によれば、例えば、３Ｄ表示が可能なタブレット型ＰＣなどで、立体映像エリア中の仮想空間内に、同一物に関するオブジェクトを、明度、彩度、色彩又は光源位置を変化させて表示させ、観察者にユーザーインターフェイスを操作させて同一物の色を回答させる。そして、表示されている色と観察者による回答を比較することで、観察者の色恒常性をチェックすることができる。この回答までの時間や誤答数が所定の閾値を超える（下回る）ようであれば、認知障害の可能性があり、これにより予防対策を採ることができる。【００４７】
（２−４）視覚野に関する脳の活動状況テスト
また、他の発明は、軽度認知症の早期発見又は予防するためのシステムであって、観察者の左右の眼にそれぞれ対応させた左眼用映像と右眼用映像を生成させるためのプログラムが実行されるアプリケーション実行部と、アプリケーション実行部により実行されたプログラムによって生成された左眼用映像及び右眼用映像を、左右の眼にそれぞれ対応した箇所に表示させる表示部と、ユーザー操作を受け付けるユーザーインターフェイスとを備え、プログラムは、左眼用映像及び右眼用映像とで異なる個数のオブジェクトを表示させる左右映像エリアを生成する左右映像生成ステップと、オブジェクトの表示と、ユーザーインターフェイスに対するユーザー操作の正確性とを、視野闘争による視覚野に関する脳の活動状況のテスト結果として記録する視野闘争測定ステップと、を含むことを特徴とする。【００４８】
このような本発明によれば、例えば、２Ｄや３Ｄ表示が可能なタブレット型ＰＣなどで、左右映像エリア中に、左眼用映像及び右眼用映像とで異なる個数のオブジェクトを表示させることにより、視野闘争による視覚野の脳の活動状況をテストすることができる。【００４９】
（２−５）脳波連動テスト
上記発明において前記情報処理端末には、前記観察者の脳波を検出し、前記脳波に応じた脳波信号を出力する脳波検出デバイスと、前記脳波検出デバイスから取得した前記脳波信号を記録する脳波信号記録部とがさらに設けられ、前記早期発見・予防プログラムは、前記アプリケーション実行部で実行される前記立体視プログラムにより記録されたテスト結果と、前記脳波信号記録部によって記録された脳波信号とを連携させて解析する脳波相関解析ステップをさらに含む処理を実行させることが好ましい。この場合には、各種脳波の強弱やバランスを解析することにより、観察者の緊張状態、リラックス状態、集中状態を測定し、ユーザー操作の正確性との相関を算出することができ、軽度認知症の早期発見・予防の精度を高めることができる。【００５０】
（２−６）コンテンツ管理サーバー
上記発明において、通信ネットワークに接続可能なコンテンツ管理サーバーをさらに備え、コンテンツ管理サーバーは、アップロードされた画像を、その画像に映っている被写体に関する年代を含む情報と関連づけて蓄積するコンテンツ蓄積部と、アプリケーション実行部により実行されているプログラムとの間でデータの送受信を行う通信部と、テストの対象となっている観察者の年代を含む配信要求をプログラムから通信部を通じて取得し、配信要求に含まれる観察者の年代に適合した画像をコンテンツ蓄積部から選定するコンテンツ選定部と、コンテンツ選定部が選定した画像をアプリケーション実行部により実行されているプログラムに対して配信するコンテンツ配信部とを備え、プログラムは、コンテンツ配信部から配信された画像から、オブジェクトを生成し、テストを実行することが好ましい。【００５１】
この場合には、多数のユーザーから懐かしい写真などを、年代を含む情報とともにアップロードしてもらい、データベース化して蓄積しておき、認知障害の被験者であるユーザーの年代に合わせた画像をオブジェクトして生成し、上述したプログラムによる各種テストで使用する。これにより、上記各種テストに際し、被験者の長期記憶を呼び起こすことができ、脳の活性化を促すことができる。
【発明の効果】
【００５２】
以上述べたように、この発明によれば、左右の両眼でバランスよく視ることによって、左脳と右脳をバランスよく刺激して活性化させ、容易に認知機能低下の進行を和らげるとともに、脳内視力の回復も促すことによって、軽度認知症の早期発見・予防を実現することができる。
【図面の簡単な説明】
【００５３】
【図１】実施形態に係る軽度認知症早期発見・予防システムの全体構成を示すブロック図である。
【図２】（ａ）は、本実施形態に係る情報処理端末のＣＰＵ上に仮想的に構築される軽度認知症の早期発見・予防機能に関するモジュールを示すブロック図であり、（ｂ）は、コンテンツ管理サーバーの内部構造を示すブロック図である。
【図３】実施形態に係るチェック＆トレーニングプログラム１の画面構成を示す説明図である。
【図４】実施形態に係るチェック＆トレーニングプログラム１の動作を示すフローチャート図である。
【図５】実施形態に係るチェック＆トレーニングプログラム２の画面構成を示す説明図である。
【図６】実施形態に係るチェック＆トレーニングプログラム２の動作を示すフローチャート図である。
【図７】実施形態に係るチェック＆トレーニングプログラム３の画面構成を示す説明図である。
【図８】実施形態に係るチェック＆トレーニングプログラム３の動作を示すフローチャート図である。
【図９】実施形態に係るチェック＆トレーニングプログラム４の画面構成を示す説明図である。
【図１０】実施形態に係るチェック＆トレーニングプログラム４の動作を示すフローチャート図である。
【図１１】実施形態に係るチェック＆トレーニングプログラム５の画面構成を示す説明図である。
【図１２】実施形態に係るチェック＆トレーニングプログラム５の動作を示すフローチャート図である。
【図１３】実施形態に係る映像トレーニングプログラムの画面構成を示す説明図である。
【図１４】実施形態に係る映像トレーニングプログラムの動作を示すフローチャート図である。
【図１５】実施形態に係る情報処理端末のディスプレイを裸眼で観察する様子を示す説明図である。
【図１６】実施形態に係る実施形態に係るパララックスバリア及びこれを含む立体映像表示装置の各構成要素を概略的に示した説明図である。
【図１７】（ａ）は、実施形態に係る立体映像観察装置の全体構成を示す斜視図であり、（ｂ）は、実施形態に係る情報処理端末１を筐体内に配置させた状態を側面より示す説明図である。
【図１８】実施形態に係る情報処理端末に表示される左右の映像を示す説明図である。
【図１９】実施形態に係るプログラムを記録する記録媒体
【図２０】実施形態に係る軽度認知症早期発見・予防システムの全体動作を示すフローチャート図である。
【図２１】実施形態に係る軽度認知症早期発見・予防システムにおいて、脳波信号の測定結果を示す表示情報の一例を示す説明図である。
【発明を実施するための形態】
【００５４】
以下、本発明に係る軽度認知症の早期発見・予防システム及びプログラムの実施形態について図面を参照しつつ、詳細に説明する。
【００５５】
（システムの全体構成）
図１は、本実施形態に係る軽度認知症早期発見・予防システムの全体構成を示すブロック図である。図２（ａ）は、本実施形態に係る情報処理端末のＣＰＵ上に仮想的に構築される軽度認知症の早期発見・予防機能に関するモジュールを示すブロック図であり、（ｂ）は、コンテンツ管理サーバーの内部構造を示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００５６】
同図に示すように、軽度認知症早期発見・予防システムは、情報処理端末１を用いて軽度認知症早期発見・予防のためのチェック及びトレーニングを実施する仕組みであり、通信ネットワーク２を介してコンテンツ管理サーバー３に接続することにより、必要なコンテンツや情報等を情報処理端末１に取り込むことができるようになっている。通信ネットワーク２上には、コンテンツ管理サーバー３と、ユーザーが使用する情報処理端末１（１ａ〜１ｃ）とが配置されている。
【００５７】
通信ネットワーク２は、通信プロトコルＴＣＰ／ＩＰを用いて種々の通信回線（電話回線やＩＳＤＮ回線、ＡＤＳＬ回線、光通信回線などの公衆回線、専用回線、３Ｇや４Ｇの無線通信網）を相互に接続して構築される分散型の通信ネットワーク（ＩＰ網）であり、この通信ネットワーク２には、インターネットの他、ＶＰＮや、１０ＢＡＳＥ−Ｔ、１００ＢＡＳＥ−ＴＸ等によるイントラネット（企業内ネットワーク）や家庭内ネットワークなどのＬＡＮなども含まれる。また、通信ネットワーク２には、有線接続やＷｉｆｉ通信を介しての接続が可能であり、例えば、Ｗｉｆｉルータや無線ＬＡＮルータなどをアクセスポイントとして、これらと無線通信が可能な情報処理端末１を接続することができ、コンテンツ管理サーバー３と情報処理端末１との双方向通信を行うことができる。
【００５８】
（情報処理端末）
情報処理端末１は、図１に示すように、演算処理を行うＣＰＵ１１と、データを一時的に記憶するメモリ１２と、通信ネットワーク２を介して外部との通信を行う通信Ｉ/Ｆ１３と、データを格納しておく記憶装置１４とを有している。なお、本実施形態では、これらのＣＰＵ１１、メモリ１２及び通信Ｉ/Ｆ１３、記憶装置１４，出力インターフェース１５と、入力インターフェース１６等は、ＣＰＵバス１ａを介して接続されており、相互にデータの受渡しが可能となっている。
【００５９】
通信Ｉ/Ｆ１３は、通信ネットワーク２を介してコンテンツ管理サーバー３と通信を行うモジュールであり、公知のデバイスを用いることができる。なお、この通信Ｉ/Ｆ１３にＬＡＮケーブルや、外線若しくは内線用の電話回線を接続することにより、有線で通信を行うことができ、また、Ｗｉｆｉや３Ｇ回線用の通信チップ、携帯電話等を接続することによって無線で通信を行うこともできる。
【００６０】
記憶装置１４は、データを記録媒体に蓄積するとともに、これら蓄積されたデータを各デバイスの要求に応じて読み出す記憶装置であり、例えば、ハードディスクドライブ（ＨＤＤ）やソリッドステートドライブ（ＳＳＤ）、メモリカード等により構成することができる。この記憶装置１４には、ＯＳ（Operating System）や本実施形態に係る、立体映像コンテンツ、軽度認知症の早期発見・予防等の各種プログラム、その他、当該端末に搭載される各種のアプリケーション用のプログラム、ユーザーの個人情報、当該端末の機器識別情報（ＩＤ）などが記憶されている。
【００６１】
また、ＣＰＵバス１ａには出力インターフェース１５と、入力インターフェース１６が接続されており、入力されたユーザー操作信号が入力インターフェース１６からＣＰＵバス１ａを通してＣＰＵに入力されるとともに、各部に対する操作に関する情報がＣＰＵバス１ａを介して出力インターフェース１５を介して、各出力デバイスから出力・表示される。
【００６２】
出力インターフェース１５には、音響を出力するスピーカー５ａや、映像を出力するタッチパネル５ｂの液晶ディスプレイが接続されており、入力インターフェース１６には、ポインティング操作やテキスト入力などのユーザー操作を入力するマウス６ａ、キーボード６ｂ、タッチパネル５ｂや、音声を入力するマイクロフォン６ｃ、映像を入力するカメラ６ｄ、脳波を検出する脳波検出デバイス６１が接続されている。なお、本実施形態では、映像を表示する液晶ディスプレイと、タッチ操作を入力するタッチパネルが重畳された液晶タッチパネルとなっている。この出力インターフェース１５は、アプリケーション実行部１１１によって実行された各種のプログラムに応じた立体映像やＧＵＩ等を、このタッチパネル５ｂに表示させる。
【００６３】
脳波検出デバイス６１は、観察者の脳波を検出して、脳波に応じた脳波信号を出力するヘッドセットタイプのデバイスであり、観察者の皮膚表面の電位を計測する電極パッド６１ａと、チップ部６１ｂとを備えている。電極パッド６１ａは、ヘッドセットが観察者の頭部に装着された状態において、観察者の額に接触するように配設されている。電極パッド６１ａとチップ部６１ｂとは配線によって接続されている。チップ部６１ｂは、電極パッド６１ａから出力される脳波信号を、アナログ信号処理回路、ＡＤ（Ａｎａｌｏｇ−Ｄｉｇｉｔａｌ）変換回路、デジタル信号処理回路等により処理し、入力インターフェース１６を通じて、ＣＰＵ１１上のアプリケーション実行部１１１に入力される。
【００６４】
そして、ＣＰＵ１１は、各部を制御する際に必要な種々の演算処理を行う装置である。このＣＰＵ１１は、メモリ１２に格納されているアプリケーションプログラム及び設定情報に基づいて、入力インターフェース１６から入力される内容に応じて、本発明に係る軽度認知症の早期発見・予防アプリケーションを実行させる。ＣＰＵ１１上で、軽度認知症早期発見・予防アプリケーションが実行されることで、本発明の軽度認知症早期発見・予防システムが機能モジュールとして仮想的に構築される。
【００６５】
具体的に、ＣＰＵ１１は、ＣＰＵの他にＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、画像データに関する処理や、各部の動作制御、ユーザー操作に対する種々の処理を行うモジュールである。
【００６６】
本実施形態において、ＣＰＵ１１には、アプリケーション実行部１１１と、機種情報取得部１１２と、音声認識部１１３とが構築される。機種情報取得部１７は、アプリケーション実行部１１１に対し情報処理端末１の種別に関する情報を入力するモジュールである。機種情報取得部１１２は、情報処理端末１の種別に関する情報の入力を受け付けるか、或いは、情報処理端末１のメモリ等から種別に関する情報を読み出して取得するモジュールであり、アプリケーション実行部１１１は、立体映像を表示する前に、機種情報取得部１１２から入力された種別に関する情報に基づいて、タッチパネル５ｂに表示される映像のサイズ、位置及び縦横比を変更するとともに、映像の基準位置を示す基準マークの位置を変更する。また、音声認識部１１３は、音声を認識し、その認識結果をアプリケーション実行部に入力するモジュールであり、端末に設けられたマイクロフォン６ｃから音声データを取得し、音声認識処理により分析することで、音声データから音響的な特徴量を取り出してどのような内容かを解析する。
【００６７】
本実施形態においては、軽度認知症の早期発見・予防に関するプログラムが実行されると、観察者の操作は、タッチパネル５ｂで受け付けるようになっているが、例えば、ケーブルや近距離通信等でマウス６ａやキーボード６ｂ等の操作デバイスを接続してその操作デバイスに基づいて観察者の操作を受け付けたりしてもよい。
【００６８】
アプリケーション実行部１１１は、一般のＯＳやブラウザソフト、メディア視聴アプリケーションなどのアプリケーションを実行するモジュールであり、通常はＣＰＵ等により実現される。具体的に本実施形態に係るアプリケーション実行部１１１は、各種アプリケーションを実行することによって、各種機能モジュールがＣＰＵ上に仮想的に構築される。本実施形態においてアプリケーション実行部１１１は、脳波検出デバイス制御部１１１ａは、同期処理部１１１ｂと、立体視テスト実行部１１１ｃと、脳波信号記録部１１１ｄと、テスト結果記録部１１１ｅと、解析部１１１ｆとがＣＰＵ１１上に構築される。
【００６９】
脳波検出デバイス制御部１１１ａは、脳波検出デバイス６１の動作を情報処理端末１側から制御するためのモジュールであり、同期処理部１１１ｂを通じて立体視テスト実行部１１１ｃと同期するようになっており、立体視テストの実行と連携させて脳波検出デバイス６１をどうさせることができる。同期処理部１１１ｂは、脳波検出デバイス制御部１１１ａと立体視テスト実行部１１１ｃとを連係させて動作させるモジュールであり、この同期処理部１１１ｂによって脳波検出デバイス制御部１１１ａにより記録される脳波信号と、立体視テスト実行部１１１ｃにより記録される各種テスト結果とを紐付けることができ、これにより解析部１１１ｆは、記録された脳波信号と各種テスト結果との相関を解析することができる。
【００７０】
立体視テスト実行部１１１ｃは、軽度認知症の早期発見・予防に関する各種のプログラムを実行し、立体映像コンテンツやＧＵＩをタッチパネル５ｂに表示させるとともに、視力測定等の演算処理を行うモジュールである。脳波信号記録部１１１ｄは、脳波検出デバイス６１から取得される各種脳波信号を時系列にしたがって記憶装置１４に記録するモジュールである。なお、同期処理部１１１ｂでは、脳波信号の検出値に応じて、立体視テスト実行部１１１ｃで実行された立体視プログラムによる刺激のタイミングや強度をリアルタイムに調節して、立体視による認知機能に対する刺激をより効果的に行うようにしてもよい。
【００７１】
ここで、記録される脳波としては、デルタ波（4Hz〜0.5Hz）、シータ波（8Hz〜4Hz）、アルファ波（14Hz〜8Hz）、ベータ波（38Hz〜14Hz）及びガンマ波（26Hz〜70Hz）である。デルタ波はヒーリングや睡眠、深い眠りについている状態、又は無意識の状態に検出され、シータ波は瞑想や直感、記憶力と関連性があり、記憶と学習に適している脳波の状態にあるときに検出される。アルファ波はリラクゼーションや視覚化、創造カ、リラックスした状態で精神活動が活発で意識レベルが高まっている状態にあるときに検出され、問題解決、集中力を発揮し得る状態を検知することができ、ベータ波は警戒、集中、認識力、理性的に問題解決を図る時、注意を払う時など、緊張状態にあるときに検出される。ガンマ波は予知、明瞭、見方などに関連性があり、集中力が増加されているときに検出される。
【００７２】
一方、テスト結果記録部１１１ｅは、立体視テスト実行部１１１ｃにより出力される各種テスト結果を記憶装置１４に記録するモジュールである。これら脳波信号記録部１１１ｄ及びテスト結果記録部１１１ｅによって記録されるデータは、同期処理部１１１ｂによって紐付けられ、テスト結果に含まれるテスト中におけるユーザー操作の履歴や、正確性の変化と脳波信号との関係を記録できるようになっている。
【００７３】
解析部１１１ｆは、アプリケーション実行部１１１の立体視テスト実行部１１１ｃで実行される立体視プログラムにより記録されたテスト結果と、脳波信号記録部１１１ｄによって記録された脳波信号とを連携させて解析するモジュールである。
【００７４】
例えば、解析部１１１ｆは、上述したチェックアンドトレーニングプログラム１〜５等の立体視プログラムを実行して、各テストにおけるユーザー操作の正確性をテスト結果として記録するとともに、これらのプログラム１〜５の実行中における各種脳波の検出値を時系列で記録し、各テストにおける平均値、最大値・最小値、開始値・終了値、時間的変化、分布などを解析し、各立体視プログラムによる各テスト結果と脳波信号の検出値とを関連づけて、相関を示す一覧表やグラフ、レーダーチャートなどの図形として、表示情報を生成する。これにより、テスト結果と脳波信号の検出値を比較可能に表示することができ、認知症などの障害をより高精度に発見できる。なお、解析部１１１ｆによって解析され、算出されたテスト結果及び脳波解析結果として、図２１に示すような、グラフ、レーダーチャートなどの図形が含まれる表示情報として出力インターフェース１５を通じて、ディスプレイやプリンター等から出力される。
【００７５】
このアプリケーション実行部１１１において、本発明に係る各種プログラムが実行されると、映像として、観察者の左右の眼に対応させた左眼用映像と右眼用映像との間に輻輳角及び視差を発生させて構成された立体映像を画面上に表示させるとともに、立体映像の輻輳角及び視差を変化させて、観測者の眼に対する焦点を、観察者に対して接近及び離隔するように誘導する。これによって右眼には右眼用映像のみ焦点が合うとともに、左眼には左眼用映像のみ焦点が合うようになり、良好な立体映像が観察することができる。
【００７６】
なお、アプリケーション実行部１１１は、タッチパネル５ｂ上に右眼用画像及び左眼用画像を表示させる際、画像の縦横サイズの比率が維持されるように縮小させて、タッチパネル５ｂ上に表示させる。この際、情報処理端末の機種に応じて、右眼用画像及び左眼用画像を縮小させることも可能である。すなわち、アプリケーション実行部１１１は、立体映像を表示する前に、機種情報取得部１１２から入力された種別に関する情報に基づいて、タッチパネル５ｂに表示される映像のサイズ、位置及び縦横比を変更するとともに、映像の基準位置を示す基準マークの位置を変更する。具体的には、記憶装置１４に位置調整プログラムが記録されており、アプリケーション実行部１１１が位置調整プログラムを実行すると、情報処理端末１の機種に応じた適切な位置に立体映像を表示させることができる。また、記憶装置１４には、立体映像の表示範囲を拡縮させるプログラムも蓄積されており、ユーザー操作によって表示範囲変更操作が行われると、アプリケーション実行部１１１は、入力インターフェース１６からの操作に応じて、立体映像を拡大又は縮小させ、表示範囲を変更させる。
【００７７】
（コンテンツ管理サーバー）
コンテンツ管理サーバー３は、コンテンツの収集及び配信を行うコンテンツサーバー装置であり、登録ユーザーである観察者の認証処理や顧客管理を行ったり、軽度認知症早期発見・予防のための各種プログラムや映像コンテンツを管理する。このコンテンツ管理サーバー３としては、ＷＷＷ（World Wide Web）等のドキュメントシステムにおいて、ＨＴＭＬ（Hyper Text Markup Language）ファイルや画像ファイル、音楽ファイルなどの情報送信を行うサーバーコンピューター或いはその機能を持ったソフトウェアで実現することができ、本実施形態では、画像などのコンテンツを蓄積しておき、クライアントソフトウェアの要求に応じて、インターネットなどのＩＰ網を通じて、これらの情報を送信する。
【００７８】
具体的にコンテンツ管理サーバー３は、通信ネットワーク２に接続するための通信部３１と、ユーザーアクセスの認証を行う認証部３２と、コンテンツデータを送信するコンテンツ配信部３５と、データベースへの入出力を管理するコンテンツ管理部３７と、各モジュールの動作を逝去する制御部３６とを備えている。また、このコンテンツ管理サーバー３には、ユーザーデータベース３３と、コンテンツデータベース３４とが接続されている。
【００７９】
通信部３１は、パケットデータを送受信することによりコンテンツデータを送信する通信デバイスであり、情報処理端末１で実行されているプログラムとの間でデータの送受信を行う機能を備えている。コンテンツ配信部３５は、認証部３２で認証されたユーザーの情報処理端末１に対して、コンテンツ管理部３７が読み出した該当するコンテンツデータを、通信部３１を通じて、送信するモジュールである。
【００８０】
認証部３２は、ユーザーに対するアクセス許可を決定するモジュールであり、ユーザーデータベース３３に蓄積された認証情報を照合することにより、認証を行う。ユーザーデータベース３３には、顧客ＩＤに関連付けられて氏名、電話番号、クレジットカード情報の他、軽度認知症の早期発見・予防プログラム等のチェック及びトレーニング結果の情報や、使用したコンテンツ等の履歴情報等も含まれている。
【００８１】
コンテンツデータベース３４は、通信ネットワーク２からアクセス可能な情報データ蓄積装置であり、例えば大容量のハードディスク等により構成される。このコンテンツデータベース８４に蓄積される情報としては、コンテンツデータそのものの他、各コンテンツデータを識別するデータＩＤに対して、当該コンテンツデータの種類（音楽、音声、映像、文字列等）、ファイル形式、コンテンツデータの属性（ジャンルや年代等）を関連付けたインデックスデータが含まれる。
【００８２】
そして、このコンテンツデータベース８４は、コンテンツ管理部３７の制御に従って、コンテンツデータの読み出し及び書き込みを行う。このコンテンツデータベース８４の制御としては、コンテンツデータを特定する識別子（データベース内のアドレスやファイル名）によりコンテンツデータを呼び出すものや、コンテンツデータの種類、ファイル形式、又は属性、その他のインデックスデータ上の情報によりコンテンツデータを特定し、コンテンツデータの呼び出すもの等が挙げられる。
【００８３】
コンテンツ管理部３７は、通信ネットワーク２を通じてデータのアップロードを受け付け、アップロードされたデータをコンテンツとして蓄積し、管理する機能を備えている。具体的にコンテンツ管理部３７は、アップロードされた画像をその画像に映っている被写体に関する年代を含む情報と関連づけてコンテンツデータベース３４に蓄積する。そして、コンテンツ管理部３７は、テストの対象となっている観察者の年代を含む配信要求を情報処理端末１から通信部３１を通じて取得し、配信要求に含まれる観察者の年代に適合した画像をコンテンツデータベース３４から選定するコンテンツ選定部としての機能も備えている。
【００８４】
コンテンツ配信部３５は、コンテンツ管理部３７が選定した画像を情報処理端末１に対して配信するモジュールであり、通信部３１が確立した通信経路を通じて、コンテンツデータをユーザー端末に対して配信する。この際、コンテンツ配信部３５は、コンテンツデータをパケット化したり、或いはパケットデータをコンテンツデータに復号したりするモジュールである。
【００８５】
（立体映像表示装置の構成）
図１５は、本実施形態に係るパララックスバリア及びこれを含む立体映像表示装置の各構成要素を概略的に示した図である。なお、本実施形態では、この立体映像表示装置は、タッチパネル５ｂに組み込まれている。また、この立体映像表示装置は、立体映像表示の手段の一例であり、本発明はこれに限定されるものではなく、裸眼３Ｄスマートフィンや、他の方式のパララックスバリア、他のレンチキュラーなど、種々の立体映像表示デバイスでも採用可能である。
【００８６】
図１５（ｂ）に示すように、本実施形態に係る立体映像表示装置は、パララックスバリア方式による左右の二つの目にそれぞれ対応する垂直方向に向かう左側映像（Ｌ）と右側映像（Ｒ）を水平方向に交互に配置したディスプレイモジュール１０と、その前端に設けられたバリア２０と呼ばれる垂直方向に向かうバー形状の遮断膜とを含む。このような立体映像表示装置は、左側映像（Ｌ）に該当する光が左眼のみに入射され、右側映像（Ｒ）に該当する光が右眼のみに入射されるように前記ディスプレイモジュール１０及びバリア２０を配置し、これを通して分割された２個の左右映像（Ｌ、Ｒ）が分離・観測されることで、立体感を感じさせる方式である。これにより、図１５（ａ）に示すように、単一のディスプレイを、特別な装置を装着することなく裸眼で、立体映像を観察することができる。
【００８７】
そして、特に、本実施形態に係るパララックスバリア２０は、図１６（ａ）に示すように、下部レイヤー３０、液晶レイヤー４０ａ、制御部４０ｂ、上部レイヤー６０ｂ及び偏光部６０ａを含む。液晶レイヤー４０ａは、制御方式によって水平方向又は垂直方向のバリアを形成するように、セル構造のマトリックス形態で配列された各画素を含み、制御部４０ｂは、液晶レイヤー４０ａの各画素を制御方式によって選択的にオン又はオフにし、水平方向又は垂直方向のバリアパターンを形成するように液晶レイヤー４０ａの各画素を制御し、液晶レイヤー４０ａに含まれた各画素のセル構造及び具体的な制御方式は、以下で詳細に説明する。
【００８８】
下部レイヤー３０は、液晶レイヤー及び制御部をディスプレイモジュールから所定距離だけ離隔した位置に配置するために、液晶レイヤー及びディスプレイモジュールとの間に形成される。上部レイヤー６０ｂは、液晶レイヤー及び制御部を配置するために、液晶レイヤーの上端に形成される。また、偏光部６０ａは、ディスプレイモジュールから放出されて下部レイヤー、液晶レイヤー及び上部レイヤーを通過した光の偏光角を制御し、液晶レイヤーで形成されたバリアパターンによってバリアを視覚化させる。本実施形態に係るパララックスバリアは、偏光部６０ａが上部レイヤー６０ｂの上端及び下部レイヤー３０の下端に位置する従来のパララックスバリアと異なって、上部レイヤー６０ｂの上端のみに偏光部６０ａが存在するので、偏光部６０ａを通過することで生じる光の輝度減少を少なくすることができる。
【００８９】
また、本実施形態に係るパララックスバリア２０及びこれを含む立体映像表示装置は、ＴＮ―ＬＣＤ又はＳＴＮ―ＬＣＤなどの液晶パネルを用いてバリアパターンを形成することで、２Ｄモードでは、バリアをオフにして２Ｄ映像を視聴することができ、３Ｄモードでは、バリアをオンにして立体映像を視聴することができる。垂直方向の画素を駆動させることで、垂直方向のバリアをオンにして垂直方向の画面を視聴することができ、水平方向の画素を駆動させることで、水平方向のバリアをオンにして水平方向の立体映像を視聴することができる。すなわち、本実施形態に係るバリア及びこれを含む立体映像表示装置は、２Ｄ／３Ｄモード転換及び水平方向／垂直方向の転換を可能にする。
【００９０】
図１６は、本実施形態に係る液晶レイヤー４０ａのセル単位のバリアパターン構造を示した例示図である。液晶レイヤー４０ａは、水平方向（Ｘ―Ｘ'）と垂直方向（Ｙ―Ｙ'）によってそれぞれ異なる規格のセル単位のバリアを交互に配置し、セル単位のパターン構造を形成する。図１６に示すように、水平方向のバリアを形成する各画素を第１水平方向のセルカラム、第２水平方向のセルカラム、第３水平方向のセルカラム…と称するとき、第１水平方向のセルカラムには横×縦がａ×ｃである第１画素、横×縦がｂ×ｃである第２画素を順次配列し、第２水平方向のセルカラムには横×縦がａ×ｄである第３画素、横×縦がｂ×ｄである第４画素を順次配列する。ここで、ａ、ｂ、ｃ及びｄの値は、ディスプレイモジュールの規格によって計算される規格値で、バリアの厚さ及び間隔を正確に表示できるように決定される。
【００９１】
そして、第３水平方向のセルカラムは、第１水平方向のセルカラムと同一の構造で配列され、第４水平方向のセルカラムは、第２水平方向のセルカラムと同一の構造で配列される。すなわち、本実施形態に係るバリア基板では、互いに異なる構造の２個の水平方向のセルカラムが垂直方向に交互に配列される。
【００９２】
（システムの全体動作について）
以上の構成を有する早期発見・予防システムを動作させることによって、本発明の早期発見・予防方法を実施することができる。図２０は、本実施形態に係る早期発見・予防システムの動作を示すフローチャート図である。
【００９３】
先ず、立体視テストプログラムを起動すると（Ｓ８０１）、脳波検出デバイス６１との同期処理が開始される（Ｓ８０２）。具体的には、脳波検出デバイス制御部１１１ａが、脳波検出デバイス６１の動作を情報処理端末１側から制御し（Ｓ８０３）、同期処理部１１１ｂを通じて立体視テスト実行部１１１ｃと同期させて、後述する各種立体視テストの実行（Ｓ８０５）と連携させて脳波検出デバイス６１からの脳波信号を記録する（Ｓ８０４）。
【００９４】
詳述すると、立体視テスト実行部１１１ｃは、軽度認知症の早期発見・予防に関する各種のプログラムを実行し、立体映像コンテンツやＧＵＩをタッチパネル５ｂに表示させるとともに、視力測定等の演算処理を行う。これと併せて、脳波信号記録部１１１ｄは、脳波検出デバイス６１から取得される各種脳波信号を時系列にしたがって記憶装置１４に記録する。一方、テスト結果記録部１１１ｅは、立体視テスト実行部１１１ｃにより出力される各種テスト結果を記憶装置１４に記録する（Ｓ８０６）。これら脳波信号記録部１１１ｄ及びテスト結果記録部１１１ｅによって記録されるデータは、同期処理部１１１ｂによって紐付けられ、テスト結果に含まれるテスト中におけるユーザー操作の履歴や、正確性の変化と脳波信号との関係を記録するようになっている。
【００９５】
なお、上記視力測定等の演算処理に際し、同期処理部１１１ｂで脳波信号の検出値に応じて、立体視テスト実行部１１１ｃで実行された立体視プログラムによる刺激のタイミングや強度をリアルタイムに調節してもよい。
【００９６】
そして、全てのテストが終了するまで、各種テストを継続させた後（Ｓ８０７における「Ｎ」）、記録された脳波信号と、立体視テスト実行部１１１ｃにより記録される各種テスト結果とを紐付けて収集し（Ｓ８０８）、次いで、解析部１１１ｆが、記録された脳波信号と各種テスト結果との相関を解析する（Ｓ８０９）。詳述すると、解析部１１１ｆが、アプリケーション実行部１１１の立体視テスト実行部１１１ｃで実行される立体視プログラムにより記録されたテスト結果と、脳波信号記録部１１１ｄによって記録された脳波信号とを連携させて解析する。
【００９７】
本実施形態では、後述するチェックアンドトレーニングプログラム１〜５等の立体視プログラムを実行して、各テストにおけるユーザー操作の正確性をテスト結果として記録するとともに、これらのプログラム１〜５の実行中における各種脳波の検出値を時系列で記録し、各テストにおける平均値、最大値・最小値、開始値・終了値、時間的変化、分布などを解析し、各立体視プログラムによる各テスト結果と脳波信号の検出値とを関連づけて、相関を示す一覧表やグラフ、レーダーチャートなどの図形として、表示情報を生成する（Ｓ８１０）。なお、解析部１１１ｆによって解析され、算出されたテスト結果及び脳波解析結果としては、図２１に示すような、グラフ、レーダーチャートなどの図形が含まれる表示情報として出力インターフェース１５を通じて、ディスプレイやプリンター等から出力される。これにより、テスト結果と脳波信号の検出値を比較可能に表示することがでる。
【００９８】
（各種立体視プログラムについて）
次いで、上述したアプリケーション実行部１１１において実行される各種の立体視プログラムについて説明する。
【００９９】
（１）チェック＆トレーニングプログラム１
図３は、チェック＆トレーニングプログラム１の画面構成を示す説明図であり、図４は、このプログラムの動作を示すフローチャート図である。このチェック＆トレーニングプログラム１では、振り子を使い、左右の眼の連携と判断の正確性を測定し、前頭葉の活動状況と眼の動き正しい判断の正確性と行動時間をチェックする。
【０１００】
詳述すると、統合失調症では、脳の前頭葉・海馬やその周辺の部位などで、神経細胞の数が減少することから前頭葉の機能が低下しており、特に前頭葉を働かせるようなテストを実施すると、機能の低下を明確に体感させることができる。例えば、眼の動きがぎこちなくなることや、特定の図形を見てもらったときに視点があまり動かず固定させる傾向がある。このことから、本プログラムでは、立体視を使って振り子の往復ポイントＰ１２，Ｐ１３の判断の正確性を±を含む値で数値化することで左右の眼の連携と判断の正確性を診断する。
【０１０１】
本プログラムでは、左眼用映像及び右眼用映像との間に輻輳角及び視差を発生させて構成された立体映像を表示させる立体映像エリアＡ１を生成し、立体映像エリアＡ１中に構築された仮想空間内において揺動する振り子のオブジェクトＯｂ１を表示させる。この立体映像エリアＡ２の下部には、ユーザーインターフェイスである判定ボタンＧ１が表示されている。この振り子のオブジェクトＯｂ１は、仮想空間内に設置された任意の中心点Ｐ１１を中心として、往復ポイントＰ１２及びＰ１３の間を揺動する。
【０１０２】
そして、テストに際しては、ユーザーに、オブジェクトＯｂ１が往復ポイントＰ１２，Ｐ１３（いずれか一方、又は両方）に到達した時点で判定ボタンＧ１を押下させる。オブジェクトＯｂ１が実際に往復ポイントＰ１２又はＰ１３に到達したタイミングと、判定ボタンＧ１に対するユーザー操作との時間差、及びユーザー操作の正確性をテスト結果として記録する。
【０１０３】
以上説明したチェック及びトレーニングを行うプログラムは、以下のように動作する。
先ず、プログラムが起動されると、ステップＳ１０１において、動作条件の設定を行うとともに、設定された条件に従った動作を実行するオブジェクトを生成する。
【０１０４】
本実施形態における動作設定は、以下の通りである。
・振り子の振幅Ｘを、デフォルト４５度、奥と手前で９０度、角度数値を±５度ずつ入力で変更可能とする。
・振り子の周期は、デフォルト２．５秒で±０．５秒とする。
・珠の直径、色、糸（振り子の揺動半径）の長さ、背景色（画像差し替えサイドバイサイドの静止画）も設定可能となっている。
・測定回数は、デフォルト３回とし、任意の回数設定も可能となっている。
・スタートから終了までのタイムログをデータ化する。
・判定は、Ａ、Ｂ、Ｃ、Ｄ、Ｅの５段階で設定できる。
・振り幅（手前と奥）は、デフォルトで６０度として、±角度入力で変更が可能となっている。
・カメラ設定は、垂直０ポイントとしたクロス法とし、カメラ間隔は、±数値入力が可能となっている。
【０１０５】
次いで、ステップＳ１０２においてオブジェクトの動作が開始される。この動作の開始は、動作条件の設定が完了後自動的に、或いはユーザー操作による開始指示を待って行うことができる。ステップＳ１０３では、ループ処理（Ｓ１０３における「Ｎ」）によりユーザー操作（若しくはタイムアウト）を待つ。この間、オブジェクトが変化したタイミングからの経過時間の測定が開始される。ユーザー操作がなされることなく、オブジェクトが変化した場合には、その都度、経過時間がリセットされ、ユーザーの応答がなかった旨が無応答履歴として記憶される。
【０１０６】
ステップＳ１０３において、ユーザー操作があったとき、若しくは一定時間が経過しタイムアウトが到来したときには（Ｓ１０３における「Ｙ」）、ループ処理を抜けて、ステップＳ１０４へ移行する。ステップＳ１０４では、ユーザーの応答時間及びその操作の正確性を記録する。ステップＳ１０３でのループ処理の間に無応答履歴があった場合には、そのときのオブジェクト動作、無応答時間及びリセット回数が記録される。
【０１０７】
ステップＳ１０５において、すべてのオブジェクト動作が終了したかを判断し、次の動作があれば（Ｓ１０５における「Ｎ」）、次の動作に移り上記ステップＳ１０１〜Ｓ１０４を繰り返し、すべての動作が終了していれば（Ｓ１０３における「Ｎ」）、ステップＳ１０６に移行する。ステップＳ１０６では、測定結果を集計し、左右の眼の連携と判断の正確性を診断し、その結果を出力する。
【０１０８】
このような本プログラムによれば、例えば、３Ｄ表示が可能なタブレット型ＰＣなどで、立体映像エリア中の仮想空間内で、揺動する振り子のオブジェクトＯｂ１表示させ、その往復ポイントＰ１２又はＰ１３を認識した時点で観察者に判定ボタンＧ１を操作させる。そして、オブジェクトＯｂ１が実際に往復ポイントＰ１２又はＰ１３に到達したタイミングと、判定ボタンＧ１に対するユーザー操作との時間差、及びユーザー操作の正確性から、左右の眼の連携と判断の正確性をテストすることができる。この時間差や正確性が所定の閾値を超える（下回る）ようであれば、認知障害の可能性があり、これにより予防対策を採ることができる。
【０１０９】
（２）チェック＆トレーニングプログラム２
図５は、チェック＆トレーニングプログラム２の画面構成を示す説明図であり、図６は、このプログラムの動作を示すフローチャート図である。このチェック＆トレーニングプログラム２では、空間認識能力及び状況判断力を診断するとともに、観察者の視野範囲と、色の調整によって白濁のチェックと空間認識能力と状況判断力のテストを行い、左右のバランスと行動時間をチェックする。
【０１１０】
本プログラムでは、左眼用映像及び右眼用映像との間に輻輳角及び視差を発生させて構成された立体映像を表示させる立体映像エリアＡ２を生成し、立体映像エリアＡ２中に構築された仮想空間内における位置、又は向きが変化する複数のオブジェクトＯｂ２１，Ｏｂ２２を表示させる。
【０１１１】
この立体映像エリアＡ２の下部には、ユーザーインターフェイスである判定ボタンＧ２２又はＧ２３が表示されている。この判定ボタンＧ２２及びＧ２３は、オブジェクトＯｂ２１又はＯｂ２２が変化する予定の色が表示されている。また、立体映像エリアＡ２中には、左右にスライド移動させるスライダーＧ２１が配置されており、このスライダーＧ２１を操作することにより、オブジェクトＯｂ２１，Ｏｂ２２、及び判定ボタンＧ２２及びＧ２３の彩度が変化するようになっている。
【０１１２】
これらオブジェクトＯｂ２１，Ｏｂ２２を仮想空間内に設置された任意の重心位置Ｐ２を中心として任意の速度で回転させるとともに、任意のタイミング及び時間長でオブジェクトＯｂ２１，Ｏｂ２２のいずれか一方の色を変化させる。このとき、オブジェクトＯｂ２１，Ｏｂ２２の回転半径や、回転中心である重心位置Ｐ２の座標を変化させ、オブジェクトＯｂ２１，Ｏｂ２２が立体映像エリアＡ１の四隅にまで到達するように表示させる。
【０１１３】
そして、テストに際しては、ユーザーに、オブジェクトＯｂ２１又はＯｂ２２の色が変化した時点で判定ボタンＧ２２又はＧ２３を押下させる。オブジェクトＯｂ２１，Ｏｂ２２の色が変化したタイミング及び時間長と、判定ボタンＧ２２又はＧ２３に対するユーザー操作との時間差、及びユーザー操作の正確性を、空間認識能力及び状況判断力のテスト結果として記録する。併せて、ユーザー操作とオブジェクトＯｂ２１，Ｏｂ２２の表示位置との関係に基づいて、観察者の反応が鈍い領域などを算出して、観察者の視野範囲も測定する。また、ユーザーがスライダーＧ２１を操作した場合には、スライダーの移動量に応じて変化されたオブジェクト又はユーザーインターフェイスの彩度の調整量を測定し、観察者の色別と白濁をチェックする。
【０１１４】
以上説明したチェック及びトレーニングを行うプログラムは、以下のように動作する。先ず、プログラムが起動されると、ステップＳ２０１において、動作条件の設定を行うとともに、設定された条件に従った動作を実行するオブジェクトを生成する。
【０１１５】
本実施形態における動作設定は、以下の通りである。
・２つの球体の色調整としては、色は自由に変更が可能となっている。
・スライドバーを使用して黄色を薄くしたり濃くしたりすることが可能である。
・白と黄色のボールは互いの中心を軸に回転する。
・Ｚ軸の角度調整で画面の上下左右４隅へ表示する。
・回転スピードの調整が可能となっている。
・赤色表示時間の調整が可能となっている。
・判定時間の調整が可能となっている。
・質問数の数が可能となっている。
・判定の対象は、全体の正解数、色別の正解数、エリア別の正回数、表示からの回答時間とする。
・結果表示としては、全体評価５段階とし、個別評価としては、全体の正解数、色別の正解数、エリア別の正回数、表示からの回答時間とする。
【０１１６】
次いで、ステップＳ２０２においてオブジェクトの動作が開始される。この動作の開始は、動作条件の設定が完了後自動的に、或いはユーザー操作による開始指示を待って行うことができる。ステップＳ２０３では、ループ処理（Ｓ２０３における「Ｎ」）によりユーザー操作（若しくはタイムアウト）を待つ。この間、オブジェクトが変化したタイミングからの経過時間の測定が開始される。ユーザー操作がなされることなく、オブジェクトが変化した場合には、その都度、経過時間がリセットされ、ユーザーの応答がなかった旨が無応答履歴として記憶される。
【０１１７】
ステップＳ２０３において、ユーザー操作があったとき、若しくは一定時間が経過しタイムアウトが到来したときには（Ｓ２０３における「Ｙ」）、ループ処理を抜けて、ステップＳ２０４へ移行する。ステップＳ２０４では、ユーザーの応答時間及びその操作の正確性を記録する。ステップＳ２０３でのループ処理の間に無応答履歴があった場合には、そのときのオブジェクト動作、無応答時間及びリセット回数が記録される。
【０１１８】
ステップＳ２０５において、すべてのオブジェクト動作が終了したかを判断し、次の動作があれば（Ｓ２０５における「Ｎ」）、次の動作に移り上記ステップＳ２０１〜Ｓ２０４を繰り返し、すべての動作が終了していれば（Ｓ２０３における「Ｎ」）、ステップＳ２０６に移行する。ステップＳ２０６では、測定結果を集計し、空間認識力及び状況判断力の正確性を診断し、その結果を出力する。
【０１１９】
なお、本プログラムでは、空間認識能力のチェックと合わせて、観察者の色別と眼球の白濁を測定することができる。この色別・白濁のチェックは、上記ステップＳ２０１〜Ｓ２０５のテストの前、或いは最中など、ユーザーの任意のタイミングで逐次行うことができる。具体的には、立体映像エリアＡ２中に表示されたスライダーＧ２１を操作することにより、イベント処理（割り込み処理）が発生し、ステップＳ２０７〜Ｓ２１２の処理が実行される。このイベント処理が実行されると、先ず、チェック＆トレーニングプログラム２が停止され（Ｓ２０７）、ユーザーが操作したスライダーの位置が取得され、スライダーの移動量に応じて、オブジェクトの彩度が変更される（Ｓ２０９）。このユーザー操作によるオブジェクトの彩度の調整量によって、観察者の眼球の色別や白濁を診断することができ、その診断結果を記録する（Ｓ２１０）。
【０１２０】
ユーザーがスライダーＧ２１に対する操作を引き続き行う場合には（ステップＳ２１１における「Ｎ」）、ユーザーがスライダーＧ２１を操作する度に、上記ステップＳ２０８〜Ｓ２１０を繰り返し実行し、色別・白濁の診断結果を更新して記録し、操作を終了した場合には（ステップＳ２１１における「Ｙ」）、チェック＆トレーニングプログラム２を再開する（Ｓ２１２）。
【０１２１】
このような本プログラムによれば、複雑な軌道で回転する複数のオブジェクトＯｂ２１，Ｏｂ２２の色を、任意のタイミング及び時間長で変化させ、その変化を認識した時点で観察者に判定ボタンＧ２２又はＧ２３を操作させる。オブジェクトの色が変わった時間から、観察者が操作するまでの時間差や正確性を測定することで、観察者の空間認識能力及び状況判断力をチェックすることができる。この時間差や正確性が所定の閾値を超える（下回る）ようであれば、認知障害の可能性があり、これにより予防対策を採ることができる。
【０１２２】
また、立体映像エリアＡ１の四隅までオブジェクトＯｂ２１，Ｏｂ２２を表示させ、それに対する観察者の反応を見ることで、観察者の視野範囲を測定することができ、視野範囲の広狭から認知障害を推定することができる。
【０１２３】
さらに、スライダーＧ２１を操作させるなどしてオブジェクトＯｂ２１，Ｏｂ２２の彩度を変化させ、観察者にとって見やすいように調節させることで、観察者の色別と、眼球の白濁等を発見することができる。
【０１２４】
（３）チェック＆トレーニングプログラム３
図７は、チェック＆トレーニングプログラム３の画面構成を示す説明図であり、図８は、このプログラムの動作を示すフローチャート図である。このチェック＆トレーニングプログラム３では、視野闘争による視覚野の脳の活動状況を診断する。具体的には、立体視検査によって、眼位（視線）のズレを眼球筋（運動神経性）や脳の働き（感覚神経性）を自ら正しく矯正して、二重には見えていない状態のテストを行うとともに、異なる図や視差を追加することにより視野闘争による視覚野の脳の活動状況をチェックする。
【０１２５】
本プログラムでは、左眼用映像Ａ３１と右眼用映像Ａ３２とで異なる個数のオブジェクトＯｂ３１，Ｏｂ３２を表示させる左右映像エリアＡ３を生成し、
本実施形態では、左眼用映像及び右眼用映像との間に輻輳角及び視差を発生させ、オブジェクトＯｂ３１，Ｏｂ３２を表示している間に、その深度（奥行き方向の座標）を変化させる。なお、本実施形態では、３Ｄ表示により深度を変化させる処理を施すが、例えば２Ｄ表示により、単に左右で異なる個数のオブジェクトを表示させるのみでもよい。
【０１２６】
この左右映像エリアＡ３では、画面タッチなどのユーザーインターフェイスにより、オブジェクトＯｂ３１，Ｏｂ３２を選択させる。そして、オブジェクトＯｂ３１，Ｏｂ３２が表示されている座標と、タッチ操作の座標との一致若しくは乖離の程度を、視野闘争による視覚野の脳の活動状況のテスト結果として記録する。
【０１２７】
以上説明したチェック及びトレーニングを行うプログラムは、以下のように動作する。
先ず、プログラムが起動されると、ステップＳ３０１において、動作条件の設定を行うとともに、設定された条件に従った動作を実行するオブジェクトを生成する。
本実施形態における動作設定は、以下の通りである。
２Ｄモードでは通常のステレオテストを行い、３Ｄモードでは深度を、奥、画面、手前とする。このチェックプログラムでは通常の立体視テストに深度を加えて認識力と左右の脳内視力の関係をチェックする。
表示されるマークは、図形、数字、英字、漢字・ひらがな・カタカナ、動物・植物・魚、食べ物・野菜・フルーツ、乗り物などから選択可能とする。
【０１２８】
次いで、ステップＳ３０２においてオブジェクトの動作が開始される。この動作の開始は、動作条件の設定が完了後自動的に、或いはユーザー操作による開始指示を待って行うことができる。ステップＳ３０３では、ループ処理（Ｓ３０３における「Ｎ」）によりユーザー操作（若しくはタイムアウト）を待つ。この間、オブジェクトが変化したタイミングからの経過時間の測定が開始される。ユーザー操作がなされることなく、オブジェクトが変化した場合には、その都度、経過時間がリセットされ、ユーザーの応答がなかった旨が無応答履歴として記憶される。
【０１２９】
ステップＳ３０３において、ユーザー操作があったとき、若しくは一定時間が経過しタイムアウトが到来したときには（Ｓ３０３における「Ｙ」）、ループ処理を抜けて、ステップＳ３０４へ移行する。ステップＳ３０４では、ユーザーの応答時間及びその操作の正確性を記録する。ステップＳ３０３でのループ処理の間に無応答履歴があった場合には、そのときのオブジェクト動作、無応答時間及びリセット回数が記録される。
【０１３０】
ステップＳ３０５において、すべてのオブジェクト動作が終了したかを判断し、次の動作があれば（Ｓ３０５における「Ｎ」）、次の動作に移り上記ステップＳ３０１〜Ｓ３０４を繰り返し、すべての動作が終了していれば（Ｓ３０３における「Ｎ」）、ステップＳ３０６に移行する。ステップＳ３０６では、測定結果を集計し、視野闘争による視覚野の脳の活動状況を診断し、その結果を出力する。
【０１３１】
このような本プログラムによれば、左右映像エリア中に、左眼用映像及び右眼用映像とで異なる個数のオブジェクトを表示させることにより、視野闘争による視覚野の脳の活動状況をテストすることができる。
【０１３２】
（４）チェック＆トレーニングプログラム４
図９は、チェック＆トレーニングプログラム４の画面構成を示す説明図であり、図１０は、このプログラムの動作を示すフローチャート図である。このチェック＆トレーニングプログラム４では、瞬間視、大小の恒常性  記憶力を診断する。具体的には、視差情報があるために一般的な瞬間視に加えて大小の恒常性チェックを行い、大脳と視覚野の活動状況をチェックするとともに、瞬間視を使った脳の記憶力をチェックする。
【０１３３】
本プログラムでは、左眼用映像及び右眼用映像との間に輻輳角及び視差を発生させて構成された立体映像を表示させる立体映像エリアＡ４を生成し、立体映像エリアＡ４中に構築された仮想空間内における位置、又は向きが変化する複数種のオブジェクトＯｂ４１，Ｏｂ４２を表示させる。
【０１３４】
この立体映像エリアＡ４の下部には、ユーザーインターフェイスである個数カウントボタンＧ４１及びＧ４２が表示されている。この個数カウントボタンＧ４１及びＧ４２は、オブジェクトＯｂ４１又はＯｂ４２が出現する予定の個数が列記されている。
【０１３５】
これら複数種のうち同一物に関するオブジェクトを、仮想空間内における深度を変化させつつ複数同時に表示させる。図示した例では、複数種のオブジェクトとして、トマト（オブジェクトＯｂ４１）とリンゴ（オブジェクトＯｂ４２）が表示されており、トマトもリンゴも、それぞれ同一物として同じ物が映されており、仮想空間において同一の大きさ（仮想空間内で占める体積）となっており、深度が異なることにより、違った大きさに見えるようになっている。
【０１３６】
そして、リンゴならリンゴ、トマトならトマトというように、同一物に関するオブジェクトの表示数と個数カウントボタンＧ４１及びＧ４２に対するユーザー操作の正確性とを、瞬間視、大小の恒常性のテスト結果として記録する。
【０１３７】
また、前記恒常性測定の後に時間差をおいて、同一物に関するオブジェクトの表示数を質問して、観察者からの回答を受け付ける記憶力テストも実施する。そして、リンゴならリンゴ、トマトならトマトというように同一物に関するオブジェクトの個数に関する質問と、ユーザーによる回答の正確性とを、記憶力のテスト結果として記録する。
【０１３８】
以上説明したチェック及びトレーニングを行うプログラムは、以下のように動作する。
先ず、プログラムが起動されると、ステップＳ４０１において、動作条件の設定を行うとともに、設定された条件に従った動作を実行するオブジェクトを生成する。
【０１３９】
本実施形態における動作設定は以下の通りである。
一般的な瞬間視に深度設定をすることで空間認識力と違う質問をした後に回答することで記憶力のテストをする。
大きさを見極める恒常性のテストも行う。
・表示数は、１〜１０とし、数字が大きくなるほど難しくなるように設定する。
・表示物数は、１〜５とし、数字が大きくなるほど難しくなるように設定する。
・色の数は、１〜５とし、数字が大きくなるほど難しくなるように設定する。
・深度設定は、奥、中心、手前、標準３〜５段階とし、数値入力が可能となっている。
・表示範囲は、中心から５段階とする。
・質問数は、１〜１０とし、設定可能となっている。
・難易度は、「すごくやさしい」、「やさしい」、「ふつう」、「むずかしい」、「すごくむずかしい」の５段階とする。
・表示時間は、「すごくやさしい」、「やさしい」、「ふつう」、「むずかしい」、「すごくむずかしい」の５段階とする。
・評価対象は、正回数、判定時間  質問回答までの時間とする。
・最終問題の記憶力としては、別のテストをした後に覚えている物、表示されていたものの数、正解数とから評価する。
・表示されるマークは、図形、数字、英字、漢字・ひらがな・カタカナ、動物・植物・魚
食べ物・野菜・フルーツ、乗り物等から選択可能とする。
【０１４０】
次いで、ステップＳ４０２においてオブジェクトの動作が開始される。この動作の開始は、動作条件の設定が完了後自動的に、或いはユーザー操作による開始指示を待って行うことができる。ステップＳ４０３では、ループ処理（Ｓ４０３における「Ｎ」）によりユーザー操作（若しくはタイムアウト）を待つ。この間、オブジェクトが変化したタイミングからの経過時間の測定が開始される。ユーザー操作がなされることなく、オブジェクトが変化した場合には、その都度、経過時間がリセットされ、ユーザーの応答がなかった旨が無応答履歴として記憶される。
【０１４１】
ステップＳ４０３において、ユーザー操作があったとき、若しくは一定時間が経過しタイムアウトが到来したときには（Ｓ４０３における「Ｙ」）、ループ処理を抜けて、ステップＳ４０４へ移行する。ステップＳ４０４では、ユーザーの応答時間及びその操作の正確性を記録する。ステップＳ４０３でのループ処理の間に無応答履歴があった場合には、そのときのオブジェクト動作、無応答時間及びリセット回数が記録される。
【０１４２】
ステップＳ４０５において、すべてのオブジェクト動作が終了したかを判断し、次の動作があれば（Ｓ４０５における「Ｎ」）、次の動作に移り上記ステップＳ４０１〜Ｓ４０４を繰り返し、すべての動作が終了していれば（Ｓ４０３における「Ｎ」）、ステップＳ４０６に移行する。ステップＳ４０６では、測定結果を集計し、瞬間視、大小の恒常性  を診断し、その結果を出力する。
【０１４３】
また、この瞬間視等のテストの終了後に、記憶力テストの出題をする（Ｓ４０７）。これは、所定時間を経過した後に、瞬間視で表示されたオブジェクトの個数などを問うもので、その応答時間や正確性を判断する。ステップＳ４０８では、ループ処理（Ｓ４０８における「Ｎ」）によりユーザー操作（若しくはタイムアウト）を待つ。この間、出題からの経過時間の測定が開始される。ユーザー操作がなされることなく、次の出題がされた場合には、その都度、経過時間がリセットされ、ユーザーの応答がなかった旨が無応答履歴として記憶される。
【０１４４】
ステップＳ４０８において、ユーザー操作があったとき、若しくは一定時間が経過しタイムアウトが到来したときには（Ｓ４０８における「Ｙ」）、ループ処理を抜けて、ステップＳ４０９へ移行する。ステップＳ４０９では、ユーザーの応答時間及びその操作の正確性を記録する。ステップＳ４０８でのループ処理の間に無応答履歴があった場合には、そのときのオブジェクト動作、無応答時間及びリセット回数が記録される。その後、ステップＳ４１０では、測定結果を集計し、記憶力を診断し、その結果を出力する。
【０１４５】
このような本プログラムによれば、仮想空間内に、リンゴとミカンといったように複数種類の果物を、深度を変化させつつ同時に表示させ、その表示数を観察者に回答させる。このとき同一物に関する仮想空間内における大きさは等しく設定して、表示する際の深度（仮想空間内における奥行き）のみを変化させることで、観察者の瞬間視、大小の恒常性をチェックすることができる。この回答までの時間や誤答数が所定の閾値を超える（下回る）ようであれば、認知障害の可能性があり、これにより予防対策を採ることができる。また、本実施形態では、立体視プログラムによるテストと合わせて、各種脳波の強弱やバランスを解析することにより、観察者の緊張状態、リラックス状態、集中状態を測定し、ユーザー操作の正確性との相関を知ることができ、軽度認知症の早期発見・予防の精度を高めることができる。
【０１４６】
また、瞬間視、大小の恒常性と合わせて、記憶力に関する質問をすることで、誤答数が所定の閾値を超える（下回る）ようであれば、認知障害の可能性があり、これにより予防対策を採ることができる。
【０１４７】
（５）チェック＆トレーニングプログラム５
図１１（ａ）〜（ｄ）は、チェック＆トレーニングプログラム５の画面構成を示す説明図であり、図１２は、このプログラムの動作を示すフローチャート図である。このチェック＆トレーニングプログラム５では、カラフィルターを使い明暗・ブルー・グリーン・レッド・イエロー・シアン・マゼンダ、光の位置などを調整し、色の恒常性が正しく機能してるかチェックし、大脳と視覚野の活動状況を測定することにより、レビー小体型認知症の疑いをチェックする。
【０１４８】
本プログラムでは、図１１（ａ）に示すように、左眼用映像及び右眼用映像との間に輻輳角及び視差を発生させて構成された立体映像を表示させる立体映像エリアＡ５を生成し、立体映像エリアＡ５中に構築された仮想空間内における位置、又は向きが変化する複数種のオブジェクトＯｂ５１，Ｏｂ５２を表示させる。これら複数種のオブジェクトＯｂ５１，Ｏｂ５２のうち同一物に関するオブジェクトを、明度、彩度、色彩又は光源位置を変化させて表示させる。
【０１４９】
この立体映像エリアでは、画面タッチなどのユーザーインターフェイスにより、オブジェクトＯｂ５１，Ｏｂ５２を選択させる。そして、同一物に関するオブジェクトの表示と、画面タッチの正確性とを、色の恒常性のテスト結果として記録する。
【０１５０】
以上説明したチェック及びトレーニングを行うプログラムは、以下のように動作する。
先ず、プログラムが起動されると、ステップＳ５０１において、動作条件の設定を行うとともに、設定された条件に従った動作を実行するオブジェクトを生成する。
本実施形態に係る動作設定は、
・表示時間は、回答するまで制限は設けない。但し、回答時間については表示されてから回答までの時間を記録する。最初の答えから答えが変わった時はその時間と正解・不正解を記憶する。表示されている物の色が認識されているかいないかで大脳の視覚野Ｖ４の活動状況をチェックする。
・表示される写真と動画としては、図形、動物・植物・魚、食べ物・野菜・フルーツ、乗り物、建築物、観光地などが選択可能となっている。
【０１５１】
次いで、ステップＳ５０２においてオブジェクトの動作が開始される。この動作の開始は、動作条件の設定が完了後自動的に、或いはユーザー操作による開始指示を待って行うことができる。ステップＳ５０３では、ループ処理（Ｓ５０３における「Ｎ」）によりユーザー操作を待つ。この間、オブジェクトが変化したタイミングからの経過時間の測定が開始される。ユーザー操作がなされることなく、オブジェクトが変化した場合には、その都度、経過時間がリセットされ、ユーザーの応答がなかった旨が無応答履歴として記憶される。
【０１５２】
ステップＳ５０３において、ユーザー操作があったときには（Ｓ５０３における「Ｙ」）、ループ処理を抜けて、ステップＳ５０４へ移行する。ステップＳ５０４では、ユーザーの応答時間及びその操作の正確性を記録する。ステップＳ５０３でのループ処理の間に無応答履歴があった場合には、そのときのオブジェクト動作、無応答時間及びリセット回数が記録される。
【０１５３】
ステップＳ５０５において、すべてのオブジェクト動作が終了したかを判断し、次の動作があれば（Ｓ５０５における「Ｎ」）、次の動作に移り上記ステップＳ５０１〜Ｓ５０４を繰り返し、すべての動作が終了していれば（Ｓ５０３における「Ｎ」）、ステップＳ５０６に移行する。ステップＳ５０６では、測定結果を集計し、色の恒常性を診断し、その結果を出力する。
【０１５４】
このような本プログラムによれば、仮想空間内に、同一物に関するオブジェクトを、明度、彩度、色彩又は光源位置を変化させて表示させ、観察者に同一物の色を回答させる。そして、表示されている色と観察者による回答を比較することで、観察者の色恒常性をチェックすることができる。この回答までの時間や誤答数が所定の閾値を超える（下回る）ようであれば、認知障害の可能性があり、これにより予防対策を採ることができる。
なお、上述した例では、オブジェクトとして図１１（ａ）に示した果物を配置した同様の画像を用いて、一方の画像にカラフィルターを使い明暗・ブルー・グリーン・レッド・イエロー・シアン・マゼンダ、光の位置などを調整したものを用いたが、例えば、図１１（ｂ）〜（ｄ）に示すような、色と形の異なる物体の前後関係を変化させた画像を用いることもできる。この画像としては、その難易度に応じて、物体の色や大きさ、配置などを変化させることができ、難易度の低いものとしては同図（ｂ）に示すような赤、青、黄色といったように異なる色彩の物体を用い、難易度が高くなるにつれて同図（ｃ）や（ｄ）のように同系色の物体を用いるようにする。
【０１５５】
脳では、深視力により、両目の視覚情報から距離と形や長さ前後関係を処理していることから、上記プログラムにより色と空間知覚の訓練を行うことができる。なお、高難易度で同系色の判断をさせることにより、奥行きに伴う色の変化から色の恒常性を認識する知覚情報処理能力を訓練することができる。
【０１５６】
（６）映像トレーニングプログラム
図１３は、チェック＆トレーニングプログラム５の画面構成を示す説明図であり、図１４は、このプログラムの動作を示すフローチャート図である。この映像トレーニングプログラムは、見るだけで老眼予防と脳を活性する特殊プログラムである。
【０１５７】
本実施形態では、コンテンツ管理サーバー３にアップロードされた画像を、その画像に映っている被写体に関する年代を含む情報と関連づけて蓄積しておき、情報処理端末１により実行されているプログラムとの間でデータの送受信を行う。コンテンツ管理サーバー３では、テストの対象となっている観察者の年代を含む配信要求を情報処理端末１から取得し、配信要求に含まれる観察者の年代に適合した画像をコンテンツデータベース３４から選定し、情報処理端末１で実行されている前記プログラムに対して配信する。
【０１５８】
以上のチェック及びトレーニングを行うプログラムは、以下のように動作する。
図１４に示すように、本実施形態では、予め、コンテンツ管理サーバー３において、ユーザーからアップロードされた画像を、その画像に映っている被写体に関する年代を含む情報と関連づけて蓄積しておく（Ｓ７０１）。
【０１５９】
そして、情報処理端末１側では、先ず観察者であるユーザーの年代や、生まれ育った地域、男性、女性、学歴・職歴などの属性を取得し（Ｓ６０１）、コンテンツ配信要求に含めて、コンテンツ管理サーバー３に送信する（Ｓ６０２）。
【０１６０】
このコンテンツ配信要求を受信（Ｓ７０２）したコンテンツ管理サーバー３では、テストの対象となっている観察者の年代を含む配信要求を解析し、配信要求に含まれる観察者の年代に適合した画像をコンテンツデータベース３４から選定し（Ｓ７０４）、情報処理端末１で実行されている前記プログラムに対して配信する（Ｓ７０５）。
【０１６１】
情報処理端末１側では、受信したコンテンツを格納するとともに（Ｓ６０３，６０４）、そのコンテンツを利用したオブジェクトを作成し（Ｓ６０５）、本映像トレーニングプログラムや、他の各種トレーニングプログラムにて利用可能とする。
【０１６２】
このようなプログラムによれば、多数のユーザーから懐かしい写真などを、年代を含む情報とともにアップロードしてもらい、データベース化して蓄積しておき、認知障害の被験者であるユーザーの年代に合わせた画像をオブジェクトして生成し、上述したプログラムによる各種テストで使用する。これにより、上記各種テストに際し、被験者の長期記憶を呼び起こすことができ、脳の活性化を促すことができる。
【０１６３】
（プログラム記録媒体）
上述した実施形態に係る各プログラムは、図１９に示すように、このプログラムを携帯電話・通信機能を統合したスマートフォン１７１や、クライアント側が使用するパーソナルコンピュータ１７２、ネットワーク上に配置されてクライアント側にデータや機能を提供するサーバー装置１７３、又はタブレットＰＣ１７４、又はＩＣチップ１８６にインストールし、ＣＰＵ上で実行することにより、上述した各機能を有するシステムを容易に構築することができる。これらのプログラムは、例えば、通信回線を通じて配布することが可能であり、またスタンドアローンの計算機上で動作するパッケージアプリケーションとして譲渡することができる。
【０１６４】
そして、このようなプログラムは、パーソナルコンピュータで読み取り可能な記録媒体１８１〜８５に記録することができる。具体的には、フレキシブルディスク１８３やカセットテープ１８２等の磁気記録媒体、若しくはＣＤ−ＲＯＭやＤＶＤ−ＲＯＭ等の光ディスク１８１の他、ＵＳＢメモリ１８５やメモリカード１８４など、種々の記録媒体に記録することができる。
【０１６５】
（立体映像観察装置）
なお、上述した実施形態では、裸眼で立体視が可能な情報処理端末１を用いたが、一般的な情報処理端末に立体映像観察装置を組み合わせて、立体映像を観察させるようにすることもできる。図１７（ａ）は、立体映像観察装置の全体構成を示す斜視図であり、同図（ｂ）は、情報処理端末１を筐体内に配置させた状態を側面より示す説明図である。図１８は、情報処理端末に表示される左右の映像を示す説明図である。
【０１６６】
図１７に示すように、映像観察装置は、観察者が所有する情報処理端末１のタッチパネル５ｂに表示された映像（図１８（ｂ））を観るための装置であって、情報処理端末１と、情報処理端末１を収納する筐体５０とから構成される。
【０１６７】
筐体５０は、紙、又はプラステック等で形成され、内部中空な略長方形状をなしている。この筐体５０は、観察者の眼前に配置される側面を形成するレンズ部５０２と、筐体５０の底面を形成し、情報処理端末１が設置される台座部５０３と、レンズ部５０２と台座部５０３との間に保持され、情報処理端末１に表示された映像光をレンズ部５０２側に向けて反射させるミラー部材５２を備えるミラー部５０４とを備える。また、レンズ部５０２の上部には、レンズ部５０２の面と交差して、外方に向けて突出する遮光部５０５とを備える。
【０１６８】
台座部５０３の一端には、レンズ部５０２が連結されるとともに、他端にはミラー部５０４が連結されている。また、ミラー部５０４の台座部５０３が連結された一端の反対側の一端には、遮光部５０５が連結されている。さらに、レンズ部５０２の台座部５０３が連結された一端の反対側の一端には補強部５０１が連結されている。なお、各部の連結部分には、それぞれ内側に折り曲げやすくなるように、折り目又はミシン目が形成されている。
【０１６９】
レンズ部５０２には、左右の眼に対応した箇所が切り抜かれ、当該部分に一対のレンズ部材５１，５１がそれぞれ形成されている。一対のレンズ部材２１，２１は、焦点に作られた実像を拡大する凸状の接眼レンズであり、レンズ部２０２上において、左右の眼に対応した箇所に配置されている。なお、レンズの形状は、限定するものではなく、例えば、通常の凸レンズを同心円状の領域に分割し厚みを減らして、のこぎり状の断面を持つシート状のフレネルレンズを用いてもよい。
【０１７０】
また、ミラー部５０４には、情報処理端末１に表示された右眼用及び左眼用の映像光を、それぞれのレンズ部材５１，５１に向けて反射させるミラー部材５２が貼着されている。なお、このミラー部材５２は、組み立て時において、台座部５０３と向かい合う側の面に形成されている。
【０１７１】
台座部２０３には、表示部５０ａに表示された映像位置に合致させるための基準表示が記されている。また、台座部５０３の両端付近には、それぞれ折り目が形成されており、その折り目に沿って台座部５０３を折り曲げることで、情報処理端末１の側面に当接される右側面部５０３ｂと、左側面部５０３ａとが形成される。
【０１７２】
なお、台座部５０３には、情報処理端末１を台座部５０３上の適切な位置に保持する保持部５３を設けてもよい。保持部５３は、情報処理端末１を位置決めする部材であり、例えば、スポンジやウレタン等の可撓性部材で形成された部材を台座部５０３上に配置して、情報処理端末１の側面に接触させて情報処理端末１を保持する構成としてもよい。また、保持部５３としては、例えば、台座部５０３の一部に略コの字状の切り目を設けて、当該切り目で囲まれた部分を情報処理端末１が設置される側に折り曲げて、情報処理端末１の側面に接触させて保持する構成であってもよい。
【０１７３】
また、本実施形態では、レンズ部５０２と補強部５０１とは、これらの部材を連結する折り目に沿って折りたたみ可能となっており、使用時には、図１６に示すように、レンズ部５０２と補強部５０１とを重ね合わすようになっている。ここで、補強部５０１には、一対のレンズ部材５１，５１と同一形状の貫通孔５０１ｂ，５０１ｂが設けられている。したがって、補強部５０１とレンズ部５０２とを重ね合わせた場合であっても、補強部５０１がミラー部材５２から反射された映像光を遮ることはない。
【０１７４】
さらに、本実施形態において、レンズ部５０２と補強部５０１とが連結された折り目部分には、略コの字状の切れ目が形成されており、当該折り目を折り曲げることで、外方に向けて突出した凸部５０１ａが形成される。一方、遮光部５０５には、遮光部５０５を貫通する係合孔５０５ａが形成されている。そして、筐体５０の組み立て時には、凸部５０１ａが係合孔５０５ａに挿通されることで、筐体５０の立体形状が維持されるようになっている。
【０１７５】
遮光部５０５は、外部からの光を遮断する部材であり、本実施形態では、係合孔５０５ａよりもミラー部５０４側の部分は筐体内部に差し込まれる外光を遮断し、係合孔５０５ａよりも観察者側の部分は観察者の眼に差し込まれる外光を遮断する。また、遮光部５０５のミラー部５０４が連結された一端の反対側の一端５０５ｂは、係合孔５０５ａに向けて湾曲形状をなしている。
【０１７６】
このような映像観察装置では、筐体５０を組み立てると、図１７に示すように、レンズ部５０２は、情報処理端末１の表示部５０ａの表面に対して垂直に起立された状態となり、ミラー部５０４は、表示部５０ａの表面に対して略４５度の角度で傾いた状態となる。
【０１７７】
そして、内部に情報処理端末１を収納させた状態で、表示部５０ａに立体映像（図１８（ｂ））を表示させると、表示部５０ａから出射された映像光は、ミラー部５０４に入射される。映像光は、ミラー部５０４に入射されるとミラー部材５２によって反射され、一対のレンズ部材５１，５１側へ出射される。そして、一対のレンズ部材５１，５１には、図１８（ａ）に示すような、それぞれ右眼用画像及び左眼用画像が入射され、観察者の眼ＥＹＥには立体映像が見えるようになる。
【符号の説明】
【０１７８】
Ａ１〜５…立体映像エリア
Ａ３…左右映像エリア
Ａ３１…左眼用映像
Ａ３２…右眼用映像
ＥＹＥ…眼
Ｇ１…判定ボタン
Ｇ２１…スライダー
Ｇ２２，Ｇ２３…判定ボタン
Ｇ４１，Ｇ４２…個数カウントボタン
Ｐ１１…中心点
Ｐ１２，Ｐ１３…往復ポイント
Ｐ２…重心位置
１…情報処理端末
２…通信ネットワーク
３…コンテンツ配信サーバー
５ａ…スピーカー
５ｂ…タッチパネル
６ａ…マウス
６ｂ…キーボード
６ｃ…マイクロフォン
６ｄ…カメラ
１０…ＣＰＵバス
１１…ＣＰＵ
１２…メモリ
１３…通信インターフェース
１４…記憶装置
１５…出力インターフェース
１６…入力インターフェース
１７…機種情報取得部
２０…パララックスバリア
３０…下部レイヤー
３１…通信部
３２…認証部
３３…ユーザーデータベース
３４…コンテンツデータベース
３５…コンテンツ配信部
３６…制御部
３７…コンテンツ管理部
４０ａ…液晶レイヤー
４０ｂ…制御部
５０…筐体
５１，５１…レンズ部材
５２…ミラー部材
５３…保持部
６０…偏光部
６１…脳波検出デバイス
１１１…アプリケーション実行部
１１２…機種情報取得部
１１３…音声認識部
１７１…スマートフォン
１７２…パーソナルコンピュータ
１７３…サーバー装置
１７４…ＰＣ
１８１〜１８５…記録媒体
５０１…補強部
５０１ａ…凸部
５０１ｂ，５０１ｂ…貫通孔
５０２…レンズ部
５０３…台座部
５０３ａ…左側面部
５０３ｂ…右側面部
５０４…ミラー部
５０５…遮光部
【図１】
2016195082.tif 000003
【図２】
2016195082.tif 000004
【図３】
2016195082.tif 000005
【図４】
2016195082.tif 000006
【図５】
2016195082.tif 000007
【図６】
2016195082.tif 000008
【図７】
2016195082.tif 000009
【図８】
2016195082.tif 000010
【図９】
2016195082.tif 000011
【図１０】
2016195082.tif 000012
【図１１】
2016195082.tif 000013
【図１２】
2016195082.tif 000014
【図１３】
2016195082.tif 000015
【図１４】
2016195082.tif 000016
【図１５】
2016195082.tif 000017
【図１６】
2016195082.tif 000018
【図１７】
2016195082.tif 000019
【図１８】
2016195082.tif 000020
【図１９】
2016195082.tif 000021
【図２０】
2016195082.tif 000022
【図２１】
2016195082.tif 000023
【国際調査報告】
2016195082.tif 000024
2016195082.tif 000025
2016195082.tif 000026
2016195082.tif 000027